(57)【特許請求の範囲】
【請求項１】
高速データ伝送を支援する移動通信システムの基地局において、
逆方向データ率制御(ＤＲＣ:Data Rate Control)チャネルの受信強さを測定する測定部と、
前記測定された逆方向ＤＲＣチャネルの受信強さを予め設定された複数個の基準値と比較して、前記逆方向ＤＲＣチャネルの断続率を決定する制御器と、
前記決定された断続率を示す情報を含むシグナリングメッセージを移動局に送信するチャネル送信器と、を含むことを特徴とする装置。
【請求項２】
前記シグナリングメッセージは、前記逆方向ＤＲＣチャネルの伝送が始まるスロット及びパイロットチャネルにオフセットを適用するかを示す情報をさらに含むことを特徴とする請求項１に記載の装置。
【請求項３】
前記逆方向ＤＲＣチャネルの受信強さは、受信されるすべての使用者それぞれに対する逆方向ＤＲＣチャネルの信号対雑音比を測定し、前記測定された複数の信号対雑音比を前記使用者の数に分けた平均信号対雑音比に設定されることを特徴とする請求項１に記載の装置。
【請求項４】
前記逆方向ＤＲＣチャネルの受信強さは、受信されるすべての使用者それぞれに対する逆方向ＤＲＣチャネルの信号対雑音比を測定し、前記測定された複数の信号対雑音比中、最小値に設定されることを特徴とする請求項１に記載の装置。
【請求項５】
前記シグナリングメッセージは、ＭＡＣ(Media Access Control)識別者に対する情報をさらに含むことを特徴とする請求項１に記載の装置。
【請求項６】
前記移動局は、前記シグナリングメッセージに含まれた断続率とＭＡＣ識別者を利用して前記逆方向ＤＲＣチャネルの伝送が始まるスロット及びパイロットチャネルにオフセットを適用するかを決定することを特徴とする請求項５に記載の装置。
【請求項７】
高速データ伝送を支援する移動通信システムの移動局において、
複数の順方向データ伝送率中の一つを示すデータ率制御(ＤＲＣ:Data Rate Control)情報をチャネル拡散してＤＲＣチャネル信号を生成するＤＲＣチャネル送信器と、
基地局からのシグナリングメッセージを使用してＤＲＣチャネルの断続率を決定し、前記決定された断続率に応じて複数のスロットそれぞれに前記ＤＲＣチャネルが断続的に伝送されるように断続器を制御する制御器と、
前記制御器の制御下に、前記生成されたＤＲＣチャネル信号を断続して伝送する断続器と、を含むことを特徴とする装置。
【請求項８】
パイロットチャネル信号を生成するパイロットチャネル送信器をさらに含むことを特徴とする請求項７に記載の装置。
【請求項９】
前記ＤＲＣチャネル送信器からの前記ＤＲＣチャネル信号と前記パイロットチャネル送信器からの前記パイロットチャネル信号は、時間分割多重化され伝送されることを特徴とする請求項８に記載の装置。
【請求項１０】
前記ＤＲＣチャネル送信器からの前記ＤＲＣチャネル信号と前記パイロットチャネル送信器からの前記パイロットチャネル信号は、符号分割多重化され伝送されることを特徴とする請求項８に記載の装置。
【請求項１１】
前記シグナリングメッセージは、断続率情報及び前記ＤＲＣチャネルの伝送が始まるスロット情報を含むことを特徴とする請求項７に記載の装置。
【請求項１２】
前記シグナリングメッセージは、断続率情報及びＭＡＣ識別者情報を含むことを特徴とする請求項７に記載の装置。
【請求項１３】
前記制御器は、前記断続率情報及びＭＡＣ識別者情報を利用して前記ＤＲＣチャネルの伝送が始まるスロットを決定することを特徴とする請求項１２に記載の装置。
【請求項１４】
前記制御器は、前記ＤＲＣチャネル信号を前記基地局に断続伝送する間、反復伝送回数を逆数して断続率を決定し、前記決定された断続率に応じて前記断続器を制御することを特徴とする請求項７に記載の装置。
【請求項１５】
高速データ伝送を支援する移動通信システムの基地局において、
逆方向データ率制御(ＤＲＣ:Data Rate Control)チャネルの受信強さを測定する測定部と、
前記測定されたＤＲＣチャネルの受信強さを予め設定された複数個の基準値と比較して前記逆方向ＤＲＣチャネルの反復回数(ＤＲＣ_Length)を決定し、前記ＤＲＣチャネルの伝送電力を逆方向パイロットチャネルの伝送電力より低く決定する制御器と、
前記反復回数を示す情報と前記逆方向ＤＲＣチャネルの伝送電力を示す情報を含むシグナリングメッセージを送信するチャネル送信器と、を含むことを特徴とする装置。
【請求項１６】
前記シグナリングメッセージは、前記逆方向ＤＲＣチャネルが断続されたかを示す情報をさらに含むことを特徴とする請求項１５に記載の装置。
【請求項１７】
前記ＤＲＣチャネルの伝送電力は、前記パイロットチャネルの伝送電力に前記ＤＲＣチャネル反復回数の逆数をかけた大きさに決定されることを特徴とする請求項１５に記載の装置。
【請求項１８】
高速データ伝送を支援する移動通信システムの移動局において、
基地局からのシグナリングメッセージを使用してデータ率制御(ＤＲＣ:Data Rate Control)チャネルの反復回数及び前記ＤＲＣチャネルの伝送電力を決定する制御器と、
前記制御器の制御下に、複数の順方向データ伝送率中の一つを示すＤＲＣチャネル信号を前記反復回数だけ反復して生成する前記ＤＲＣチャネル送信器と、
前記制御器の制御下に、前記ＤＲＣチャネル送信器からのＤＲＣチャネル信号の伝送電力をパイロットチャネルの伝送電力より低く調整して伝送する利得調整器と、を含むことを特徴とする装置。
【請求項１９】
前記ＤＲＣチャネルの伝送電力は、前記パイロットチャネルの伝送電力に前記ＤＲＣチャネル反復回数の逆数をかけた大きさに決定されることを特徴とする請求項１８に記載の装置。
【請求項２０】
移動局が基地局に要求する順方向データ伝送率中の選択された一つを示すデータ率制御情報を前記基地局に伝送し、前記基地局は複数のタイムスロット内に前記データ率制御情報を反復する前記スロットの個数を示すデータ率制御情報長さを指定して、前記移動局に伝送する移動通信システムで、前記移動局により選択された前記データ率制御情報を前記基地局に伝送する方法において、
前記移動局により受信された前記データ率制御情報長さごとに一つのタイムスロットに前記データ率制御情報を断続的に前記基地局に伝送することを特徴とする前記方法。
【請求項２１】
移動局が基地局に要求する複数の順方向データ伝送率中の一つを指定するデータ率制御情報を複数のタイムスロット内で反復する回数を示すデータ率制御情報長さを呼設定で前記移動局に伝送し、前記データ率制御情報長さにより断続的に決定された一つのタイムスロット内に前記指定されたデータ率制御情報を前記基地局が受信する移動通信システムで、前記基地局のデータ伝送方法において、
前記タイムスロット内に指定されたデータ率制御情報の受信後、前記データ率制御情報長さ(ＤＲＣ_length)に対応するタイムスロットの間、前記移動局に伝送しようとするデータを前記指定されたデータ率に伝送する前記方法。
【請求項２２】
高速データ伝送を支援する移動通信システムで基地局のデータ送信方法において、
逆方向データ率制御(ＤＲＣ:Data Rate Control)チャネルの受信強さを測定する過程と、
前記測定された逆方向ＤＲＣチャネルの受信強さを予め設定された複数個の基準値と比較して、前記逆方向ＤＲＣチャネルの断続率を決定する過程と、
前記決定された断続率を示す情報を含むシグナリングメッセージを移動局に送信する過程と、を含むことを特徴とする方法。
【請求項２３】
前記シグナリングメッセージは、前記逆方向ＤＲＣチャネルの伝送が始まるスロット及びパイロットチャネルにオフセットを適用するかを示す情報をさらに含むことを特徴とする請求項２２に記載の方法。
【請求項２４】
前記逆方向ＤＲＣチャネルの受信強さは、受信されるすべての使用者それぞれに対する逆方向ＤＲＣチャネルの信号対雑音比を測定し、前記測定された複数の信号対雑音比を前記使用者の数に分けた平均信号対雑音比に設定されることを特徴とする請求項２２に記載の方法。
【請求項２５】
前記逆方向ＤＲＣチャネルの受信強さは、受信されるすべての使用者それぞれに対する逆方向ＤＲＣチャネルの信号対雑音比を測定し、前記測定された複数の信号対雑音比中の最小値に設定されることを特徴とする請求項２２に記載の方法。
【請求項２６】
高速データ伝送を支援する移動通信システムで基地局のデータ送信方法において、
逆方向データ率制御(ＤＲＣ:Data Rate Control)チャネルの受信強さを測定する過程と、
前記測定された逆方向ＤＲＣチャネルの受信強さを予め設定された複数個の基準値と比較して、前記逆方向ＤＲＣチャネルの反復回数(ＤＲＣ_Length)を決定する過程と、
前記逆方向ＤＲＣチャネルの伝送電力を逆方向パイロットチャネルの伝送電力より低く調整する過程と、
前記反復回数を示す情報と前記逆方向ＤＲＣチャネルの伝送電力を示す情報を含むシグナリングメッセージを送信する過程と、を含むことを特徴とする方法。
【請求項２７】
前記シグナリングメッセージは、前記逆方向ＤＲＣチャネルが断続されたかを示す情報をさらに含むことを特徴とする請求項２６に記載の方法。
【請求項２８】
前記ＤＲＣチャネルの伝送電力は、前記パイロットチャネルの伝送電力に前記ＤＲＣチャネル反復回数の逆数をかけた大きさに決定されることを特徴とする請求項２６に記載の方法。
【請求項２９】
高速データ伝送を支援する移動通信システムで移動局のデータ送信方法において、
基地局からのシグナリングメッセージを利用してデータ率制御(ＤＲＣ:Data Rate Control)チャネルの反復回数(ＤＲＣ_Length)を獲得する過程と、
前記獲得された反復回数に応じて前記ＤＲＣチャネル信号の伝送電力をパイロットチャネルの伝送電力より低く調整する過程と、
前記ＤＲＣチャネルを前記反復回数だけ反復して前記決定された伝送電力に伝送する過程と、を含むことを特徴とする方法。
【請求項３０】
前記基地局から断続伝送の指示を受信した場合、前記反復回数を逆数して断続率を決定する過程と、
前記決定された断続率に応じて前記反復伝送される前記ＤＲＣチャネル信号中の少なくとも一つを断続して伝送する過程と、を含むことを特徴とする請求項２９に記載の方法。
【請求項３１】
前記ＤＲＣチャネルの伝送電力は、前記パイロットチャネルの伝送電力に前記ＤＲＣチャネル反復回数の逆数をかけた大きさに決定されることを特徴とする請求項２９に記載の方法
【請求項３２】
高速データ伝送を支援する移動通信システムの通信方法において、
呼セットアップ時、逆方向ＤＲＣチャネルの反復伝送回数を示す情報及びパイロットチャネルにオフセットを適用するかを示す情報を含むシグナリングメッセージを基地局が移動局に伝送する過程と、
シグナリングメッセージを参照して、前記移動局が断続伝送ではないと判断した場合、複数の順方向データ伝送率中の一つを要求する逆方向ＤＲＣチャネルを前記反復回数だけ反復して伝送する過程と、
前記断続伝送であると判断された場合、または前記反復伝送中、前記基地局から断続伝送を指示するメッセージを受信した場合、前記反復回数を逆数して断続率を決定する過程と、
前記決定された断続率に応じて複数のスロット中の所定スロットに前記逆方向ＤＲＣチャネルを断続的に伝送する過程と、を含むことを特徴とする方法。
【請求項３３】
前記ＤＲＣチャネルを反復して伝送する場合、前記ＤＲＣチャネルの伝送電力をパイロットチャネルの伝送電力より低く調整することを特徴とする請求項３２に記載の方法。
【請求項３４】
移動局が基地局に要求する複数の順方向データ伝送率中の選択された一つを示すデータ率制御情報を基地局に伝送する移動通信システムの通信方法において、
前記基地局が、複数のタイムスロット内に前記データ率制御情報を反復する前記スロットの個数を示すデータ率制御情報長さ(ＤＲＣ_Length)を指定して前記移動局に伝送する過程と、
前記移動局が、前記基地局から受信された前記データ率制御情報長さごとに一つのタイムスロットに前記データ率制御情報を断続的に基地局に伝送する過程と、を含むことを特徴とする方法。
【請求項３５】
高速データ伝送を支援する移動通信システムで移動局のデータ送信方法において、
複数の順方向データ伝送率中の一つを示すデータ率制御(ＤＲＣ:Data Rate Control)情報をチャネル拡散してＤＲＣチャネル信号を生成する過程と、
基地局からのシグナリングメッセージを利用してＤＲＣチャネルの断続率を決定する過程と、
前記決定された断続率に応じて複数のスロットごとに前記ＤＲＣチャネルを断続的に伝送する過程と、を含むことを特徴とする方法。
【請求項３６】
複数の順方向データ伝送率中の一つを示すデータ率制御情報をスロットごとに連続的に伝送する連続モード及び所定複数のスロット中の一つのみを断続的に伝送する断続モードを支援する移動通信システムで基地局のモード決定方法において、
逆方向データ率制御チャネルの受信強さが第１基準値より小さい場合、前記連続モードから前記断続モードに転換する過程と、
前記逆方向データ率制御チャネルの受信強さが第２基準値より大きい場合、前記断続モードから前記連続モードに転換する過程と、
前記転換された前記断続モード、または連続モードを示す情報を含むシグナリングメッセージを移動局に伝送する過程と、を含むことを特徴とする方法。
【請求項３７】
前記第１基準値と前記第２基準値は、相異なる値であることを特徴とする請求項３６に記載の方法。
【請求項３８】
前記断続モードで前記基地局は前記逆方向データ率制御チャネルの受信強さを前記第１基準値より小さい予め設定された複数の基準値と比較して前記ＤＲＣチャネルの断続率を決定する過程と、
前記決定された断続率を示す情報を含むシグナリングメッセージを移動局に伝送する過程と、をさらに含むことを特徴とする請求項３６に記載の方法。
【発明の詳細な説明】
【０００１】
【発明の属する技術分野】
本発明は高速データ伝送方式を適用する移動通信システムのデータ率制御(Data Rate Control：以下、“ＤＲＣ”)チャネル伝送装置及び方法に関するもので、特にデータ率制御チャネルを断続的に、または反復的に伝送するための装置及び方法に関する。
【０００２】
【従来の技術】
一般的にＩＳ−２０００システムの通信方式でチャネル状態がよい場合、基地局と移動局は一定のデータ率に通信を遂行するために、電力制御を遂行する方式を使用する。一方、ＨＤＲ(High Data Rate)を適用する移動通信システムでは移動局がＤＲＣを一定スロットごとに基地局に送信し、前記基地局は前記ＤＲＣを受信して状態がよい移動局のみにデータ率を調節してデータを伝送する方式を使用する。前記ＨＤＲ方式は順方向リンクのデータ処理量を非常に向上させた伝送方式であり、基地局の最大電力を有し、一つの伝送チャネルを利用してパケットの長さを変えながら、チャネル状態がよい場合、単位時間当たり多量のデータを伝送し、チャネル状態が良くない場合には、単位時間当たり少ない量のデータを伝送する方式である。即ち、前記ＨＤＲシステムは該当基地局内にあるすべての移動局中、同一の時間に一つの移動局のみにデータ伝送チャネルを通じてデータを送信する。前記ＨＤＲを適用する移動通信システムでチャネルの状態に対する情報及びデータ率を制御するＤＲＣを送信するチャネルがＤＲＣチャネルである。前記ＤＲＣは移動局が順方向リンクを通じて伝送されたパイロット信号のＣ／Ｉを測定し、前記Ｃ／Ｉに基づいて生成されＤＲＣチャネルを通じて基地局に報告される。
【０００３】
前記パイロット信号(Pilot)は、移動局から基地局に伝送するデータの同期獲得と、チャネル復旧と、逆方向電力制御に関する情報を知らせる信号である。一方、前記ＨＤＲシステムで使用される逆方向データ率指示信号(ＲＲＩ:reverse rate indicator)は逆方向リンクで伝送されるデータ率を表示し、１６個のスロットに構成されるフレームの同期を合わせる信号である。前記ＤＲＣとパイロット信号は時間分割多重化され伝送される方式を取る。そして前記ＲＲＩ信号はパイロット信号のエンコーディングされたパケットで穿孔された(Punctured)部分に基地局がデータ率を決定できるようにするインデックスを提供する。
【０００４】
下記＜表１＞は逆方向データ率による逆方向データ率インデックスを示す。
【表１】
0003748552.tif 000002
【０００５】
前記＜表１＞で逆方向リンクが１５３．６kbpsのデータ率に伝送される場合、データ率インデックスチャネルを通じて３ビットに構成されたシンボルがウォルシュシンボル反復を通じて長さ４である直交符号を利用して基地局に伝送される。
【０００６】
下記＜表２＞はＤＲＣチャネルのエンコーディングテーブルを示す。
【表２】
0003748552.tif 000003
【０００７】
移動局は基地局から伝送される信号のＣ／Ｉを測定して、前記＜表２＞に示したように基地局に要求するデータ率による符号語に変換させ基地局に報告する。前記＜表２＞のようにＤＲＣ信号は４ビットのシンボルに構成される。４ビットのシンボルはそれぞれブロックコーディングされ８ビットの符号語に変換される。この符号語は前記＜表２＞のように要求される順方向トラヒックチャネルのデータ率と一対一にマッピングされる。
【０００８】
図１は一般的なＨＤＲ方式を使用する移動通信システムで逆方向リンク送信器の構造を示した図である。
前記図１を参照すると、乗算器１０２はパイロットチャネル１０１をスロットごとに長さ４の直交関数０番とかけてチャネル拡散して１０２４チップの“０”値を有する無変調信号を出力する。前記ＲＲＩ１０３は直交変調部(８-ary Orthogonal Mod)１０５に入力される。前記直交変調部１０５は前記ＲＲＩを受信して、８-ary直交変調を遂行してウォルシュシンボルを出力する。ウォルシュシンボル反復器(Walsh Symbol Repeat)１０７は前記ウォルシュシンボルを反復して乗算器１０９に出力する。前記乗算器１０９は前記ウォルシュシンボル反復器１０７から出力されるウォルシュシンボルをスロットごとに長さ４の直交関数０番とかけてスロット当たり６４チップ単位に出力する。前記ＤＲＣ１１５はブロックエンコーダ１１７に入力する。前記ブロックエンコーダ(Block Enc)１１７は(８、４、４)符号器として、前記ＤＲＣ１１５をブロックエンコーディングして出力する。符号語反復器(Code Word Repeat)１１９は前記ブロックエンコーディングされたＤＲＣを所定回数反復して出力する。乗算器１２１は前記符号語反復器１１９で出力されるシンボルを長さ２の直交関数０番とかけてチャネル拡散して出力する。ウォルシュカバー器１１３は入力されるＤＲＣウォルシュカバーインデックス１１１に対応される長さ８の直交関数を出力する。乗算器１２３は前記乗算器１２１の出力と前記ウォルシュカバー１１３の出力をかけて出力する。乗算器１２５は乗算器１２３から出力されるデータを長さ４の直交関数０番とかけて出力する。時間分割多重化部１２７は前記乗算器１０２、乗算器１０９及び乗算器１２５から出力されるパイロットチャネル信号、ＲＲＩチャネル信号及びＤＲＣチャネル信号を時間分割多重化して、同相位相(In-phase)成分に複素拡散器１４１に出力する。トラヒックチャネル信号１２９はエンコーダ１３１に入力する。前記エンコーダ１３１は入力される前記トラヒックチャネル信号１２９をエンコーディングして出力する。変調器１３３は前記エンコーディングされたトラヒックデータをＢＰＳＫ変調して出力する。インタリーバ１３５は前記ＢＰＳＫ変調されたデータをインタリービングして出力する。データチャネル利得器１３７は前記インタリーバ１３５の出力を利得調整して出力する。乗算器１３９は前記データチャネル利得器１３７から出力される信号を長さ４の直交関数２番とかけてチャネル拡散して直交位相(Quadrature Phase)成分に前記複素拡散器１４１に出力する。前記複素拡散器１４１は前記の同相位相成分の信号と直交位相成分の信号を複素拡散して出力する。基底帯域ろ波器１４３は前記複素拡散器１４１からの前記複素拡散された信号を基底帯域フィルタリングして出力する。
【０００９】
上述したように、前記パイロットチャネル信号、ＲＲＩチャネル信号、ＤＲＣチャネル信号は、時間分割多重化され基地局に送信される。
【００１０】
図２は一般的な高速データ伝送方式を使用するシステム(例:ＨＤＲシステム)でデータ率制御チャネル伝送方法を示した図である。示されたように、一つのフレームは２０４８チップ(１.６６msec)の長さを有する１６個のスロットに構成される。そして、一つのスロットはパイロット(pilot)チャネル信号とデータ率制御(ＤＲＣ)チャネル信号が６４チップ単位に多重化され伝送される。すべての使用者(いずれの使用者グループに属するか関係なし)は、前記パイロットチャネル信号とデータ率制御チャネル信号を多重化した信号を連続的に伝送する。このような場合、使用者間に互いに干渉が発生する。
【００１１】
即ち、上述したように、前記ＨＤＲシステムはデータサービスが連結された状態でパイロットとＤＲＣを連続的に基地局に伝送される。一方、高速データ伝送のためには、逆方向リンクに伝送されるパイロット信号の受信強さ(Ｃ／Ｉ)やＤＲＣ信号の情報が正確であるべきである。しかし図２に示したように、各使用者はスロットごとに時間分割多重化されたパイロット信号とＤＲＣを連続的に基地局に報告するので、他の使用者グループ間には多くの干渉が発生する。このような問題点のため、基地局が正確にＤＲＣを検出できないようになると、移動局で要求するデータ率とセクタを基地局が正確にスケジュリングできなくなり、そのため、これ以上の新しい使用者をサービスできない。即ち、従来技術のＨＤＲシステムは、使用者数が増加するほど、基地局がＤＲＣを検出することが難しくて、新しい使用者にサービスできないとの問題点がある。
【００１２】
前記図２はパイロットチャネル信号とＤＲＣチャネル信号が時間分割多重化された場合を説明しているが、パイロットチャネル信号とＤＲＣチャネル信号が符号分割多重化された場合にも上述した問題点が発生する。
【００１３】
【発明が解決しようとする課題】
従って本発明の目的は、高速データ伝送方式を使用する移動通信システムでデータ率制御チャネル間の干渉を防止するために、データ率制御チャネルを断続的に伝送するための装置及び方法を提供することにある。
本発明の他の目的は、高速データ伝送方式を使用する移動通信システムでデータ率制御チャネル間の干渉を防止するために、データ率制御チャネルを反復してパイロットチャネルの伝送電力より低く伝送するための装置及び方法を提供することにある。
本発明のさらに他の目的は、基地局がデータ率制御情報を複数のタイムスロットで反復する回数を示すデータ率制御情報長さを呼設定中に移動局に伝送する移動通信システムで、前記移動局が前記データ率制御情報長さを逆数してデータ率制御チャネルを断続的に伝送するための断続率を決定するための装置及び方法を提供することにある。
【００１４】
【課題を解決するための手段】
このような目的を達成するための本発明は、移動局が基地局に要求する複数の順方向データ伝送率中の選択された一つを示すデータ率制御情報を前記基地局に伝送する移動通信システムの通信方法において、前記基地局が、複数のタイムスロット内に前記データ率制御情報を反復する前記スロットの個数を示すデータ率制御情報長さ(ＤＲＣ_Length)を指定して前記移動局に伝送する過程と、前記移動局が、前記基地局から受信された前記データ率制御情報長さごとに一つのタイムスロットに前記データ率制御情報を断続的に基地局に伝送する過程と、を含むことを特徴とする。
【００１５】
【発明の実施の形態】
以下、本発明の望ましい実施形態について添付図を参照しつつ詳細に説明する。下記の発明において、本発明の要旨のみを明瞭にする目的で、関連した公知機能又は構成に関する具体的な説明は省略する。
【００１６】
以下の説明において、“断続率(ＤＲＣ Slot Rate)”とは、ＤＲＣチャネルを断続伝送する時、いくつかのスロットごとにＤＲＣチャネルを伝送するかを示す伝送率(rate)を意味する。また“使用者グループ”とは、同一の断続周期にデータ率制御チャネルを基地局に送信し、フレーム内で同一のＤＲＣ伝送スタートスロットを有する使用者の集合を意味する。ここで断続率による使用者は使用者グループ別に一つのみ存在するものではなく、一つのグループに多数の使用者が存在することができる。
【００１７】
一方、“反復回数(ＤＲＣ_Length)”とは、同一のＤＲＣチャネルを反復して伝送する時、いくつかのスロットで反復するかを示す同一ＤＲＣチャネルの伝送回数を意味する。一方、本発明による前記断続率は、前記反復回数の逆数に設定される。
【００１８】
そして、“連続モード”とは、使用者がＤＲＣチャネルをスロットごとに連続的に伝送するモードを意味し、“断続モード”とは、基地局が指定した断続率に応じて使用者がＤＲＣチャネルを周期的に断続して伝送するモードを意味する。また、“反復モード”とは、基地局が指定した反復回数により使用者が同一のＤＲＣチャネルを反復して伝送するモードを意味する。本発明は前記連続モードから前記断続モードに、前記連続モードから前記反復モードに、前記反復モードから前記断続モードへの転換だけではなく、上述した転換の逆に該当する転換がすべて可能である。
【００１９】
図３は移動局(ＡＴ)が基地局(ＡＮ)から送信された信号のＣ／Ｉを測定して特定データ率を要求するＤＲＣチャネルを基地局に伝送し、前記基地局が前記移動局から受信されるＤＲＣチャネルを参照して前記移動局で要求するデータ率を伝送データに適用するまでの時間を示した図である。前記図３で基地局は移動局からＤＲＣチャネルを受信した後、１／２スロット後に前記ＤＲＣチャネルを通じて要求されたデータ率を適用する。従ってＨＤＲシステムでは一つのエンコーダパケットが終了される１／２スロット前に送信された使用者のＤＲＣをスケジュリングし、次のエンコーダパケットにチャネル状態がよい使用者に最大電力にデータサービスをするようになる。
【００２０】
以下、本発明の実施形態により、逆方向リンクの容量が超過される場合、使用者のＤＲＣ間干渉を低減するために、断続的にＤＲＣチャネルを伝送する方式に対して詳細に説明する。
【００２１】
図４は本発明の実施形態による高速データ伝送方式を使用する移動通信システムで、ＤＲＣチャネルを伝送するための逆方向リンク送信器の構成を示している。
前記図４を参照すると、乗算器１０２はパイロットチャネルデータ１０１に設定された直交符号(Ｗ04)をかけて直交拡散して出力する。スイッチ４０１は前記制御部(図示せず)の制御下に、前記乗算器１０２の出力を多重化器１２７にスイッチングするか、遅延器４０３にスイッチングする。前記遅延器４０３は前記乗算器１０２の出力を所定時間の間(例:６４チップ)遅延させた後(またはバッファリングした後)、前記多重化器１２７に出力する。
【００２２】
直交変調器１０５は逆方向データ率指示者(Reverse rate indicator：以下、“ＲＲＩ”)１０３を８-ary直交変調してシンボルを出力する。シンボル反復器１０７は前記直交変調器１０５からの前記シンボルを所定回数反復して出力する。乗算器１０９は前記シンボル反復器１０７の出力に前記直交符号(Ｗ04)をかけて直交拡散して出力する。
【００２３】
符号器１１７は４ビットＤＲＣ情報１１５を(８、４、４)ブロックエンコーディング(block encoding)して出力する。符号語反復器１１９は前記符号器１１７からの出力符号語(codeword)を所定回数反復して出力する。乗算器１２１は前記符号語反復器１１９からの出力と与えられた長さ２の直交符号(Ｗ02)をかけて直交拡散して出力する。
【００２４】
ウォルシュカバー器１１３はＤＲＣウォルシュカバーインデックスを受信してセクタ区分用ウォルシュカバーを出力する。乗算器１２３は前記乗算器１２１の出力と前記ウォルシュカバー器１１３の出力をかけて出力する。スイッチ４０５は前記乗算器１２３の出力を前記制御部の制御下に断続して出力する。乗算器１２５は前記スイッチ４０５の出力と前記直交符号(Ｗ04)をかけて出力する。前記多重化器１２７は前記乗算器１０２(または遅延器４０３)、前記乗算器１０９及び前記乗算器１２５の出力を時間的に多重化して出力する。
【００２５】
符号器１３１は入力されるトラヒックデータを符号化して出力する。変調器１３３は前記符号器１３１からの出力をＢＰＳＫ変調して出力する。インタリーバ１３５は前記変調器１３３の出力をインタリービングして出力する。利得調整器１３７は前記インタリーバ１３５の出力を利得調整して出力する。乗算器１３９は前記利得調整器１３７の出力と設定された長さの直交符号(Ｗ24)をかけて出力する。複素拡散器１４１は前記多重化器１２７の出力(Ｉチャネル信号)及び前記乗算器１３９の出力(Ｑチャネル信号)と設定されたＰＮ符号をかけて複素拡散して出力する。ろ波器１４３は前記複素拡散器１４１の出力を基底帯域フィルタリングして出力する。このようにろ波された信号は周波数上向調整され、ラジオ周波数信号に変換され基地局に送信される。
【００２６】
通常の高速データ伝送方式を使用する移動通信システムで、逆方向リンクの構造はすべての使用者がスロットごとにＤＲＣを基地局に報告している。本発明では逆方向リンクの容量が超過(飽和)される場合、移動局はＤＲＣを断続的な方法に基地局に送信する。前記移動局が基地局にＤＲＣを断続伝送するためには、断続率とスロットスタート点、パイロットオフセットに対する情報を分かるべきである。前記断続率、スロットスタート点及びパイロットオフセットに対する情報は、シグナリングメッセージ(Signaling message)を通じて基地局から移動局に直接的、または間接的に伝送される。前記情報が直接的に移動局に伝送される場合、基地局で決定された断続率、スロットスタート点及びパイロットオフセット関連情報をシグナリングメッセージ(Signaling message)を利用して移動局に伝送する。前記情報が間接的に移動局に伝送される場合、基地局は断続率とＭＡＣインデックスを移動局に伝送し、移動局は前記情報を利用してスロットスタート点及びパイロットオフセットを決定する。
【００２７】
前記図４のように、各使用者は割り当てられた断続率、スロットスタート点、及びパイロットオフセット情報に基づいてＤＲＣチャネルとパイロットチャネルを送信するようになる。具体的に、図４でチャネル拡散されたパイロット信号とチャネル拡散されたＤＲＣは、それぞれパイロット信号オフセット部と断続率制御信号断続部に入力される。前記断続率制御信号断続部は図４のようにスイッチ４０５に構成されることができる。前記パイロット信号オフセット部は図４に示したように、スイッチ４０１と、前記パイロット信号を一定チップの間、遅延するための遅延器４０３に構成することができる。前記スイッチ４０１及び前記スイッチ４０５は、前記制御器の制御下に基地局から受信された断続率、スロットスタート点及びパイロットオフセット情報によりパイロット信号の伝送スタート点を制御し、ＤＲＣチャネルを断続的に伝送する。従って使用者のＤＲＣチャネル間の干渉を最小化する。
【００２８】
図５及び図６は本発明の実施形態によりパイロット信号を連続的に送信し、ＤＲＣチャネルを断続的に伝送する場合を示した図である。この場合において、パイロット信号はオフセットを適用して伝送する方式と、オフセットを適用しないで伝送する方式に区分される。パイロット信号にオフセットを適用する場合は、図５のように、使用者を複数個のグループにグルーピング(Grouping)し、グループ別にＤＲＣチャネルが相異なるスロットで伝送されるようにＤＲＣチャネルを断続する。例えば、１番目使用者グループ(ＵＧ＿１)は１番目スロットでＤＲＣチャネルを伝送し、２番目使用者グループ(ＵＧ＿２)は二番目スロットでＤＲＣチャネルを伝送する。一方、前記ＤＲＣチャネルは断続率に応じて設定された所定間隔に伝送される。一方、使用者グループ別に相異なるパイロット信号の伝送スタート点を有することにより、ＤＲＣチャネルが断続されるスロットでパワーが均等に分散される。前記図５のように特定使用者グループに対して６４チップのパイロットオフセットを適用した場合、ＤＲＣチャネルを伝送しなく、パイロット信号のみを送信する使用者のパイロット信号間の干渉を低減することができる。
【００２９】
前記図６は、ＤＲＣチャネルは断続的に送信し、パイロット信号はオフセットを適用しないで連続的に送信する場合を示した図である。この場合には前記図５のような方式に、二番目使用者がＤＲＣチャネルを送信する瞬間に、前記ＤＲＣチャネルと他の使用者のＤＲＣチャネル間に干渉は発生しない。
【００３０】
前記図５及び図６はパイロット信号とＤＲＣチャネルが時間分割多重化された場合を説明しているが、パイロット信号とＤＲＣチャネルが符号分割多重化(Code Division Multiplexing)された場合にも、断続送信は同一に適用されることができる。即ち、ＤＲＣチャネルを断続的に伝送することにより、逆方向リンクの干渉量を減少させることができる。ここで、パイロット信号とＤＲＣチャネルが符号分割多重化された場合には、連続的なパイロット信号にオフセットを適用しない。
【００３１】
前記図７及び図８は本発明の実施形態によるＤＲＣチャネルの断続送信で断続率が１/４である場合を示した図である。ここで、前記図７は使用者グループ別にパイロット信号にオフセットを適用する場合を示し、前記図８はパイロット信号にオフセットを適用しない場合を示す。前記断続率が１/４である場合、使用者グループは４個のグループに分けられる。それぞれの使用者は基地局から伝送されるシグナリングメッセージを通じて断続率１/４とスロットスタート点を受信する。
【００３２】
前記図７を参照すると、一番目使用者グループ(ＵＧ＿１)に属する使用者にはシグナリングメッセージを通じて断続率１/４とスロットスタート点（１番目スロット）が割り当てられる。二番目使用者グループ(ＵＧ＿２)に属した使用者にも同一にシグナリングメッセージを通じて断続率１/４とスロットスタート点(二番目スロット)が割り当てられる。３番目使用者グループ及び４番目使用者グループに属した使用者にも同一の方式に、それぞれ３番目と４番目スロットにスロットスタート点及び断続率１/４が割り当てられる。このように割り当てられた断続率及びスロットスタート点により、使用者は指定されたスロットをスタート点にして指定された周期にＤＲＣチャネルを断続して基地局に送信する。上述した図３で、ＤＲＣは１／２スロット以後に適用される。従って図７のように、エンコーダパケットが４スロットに構成されると、この場合、１番目使用者グループ(ＵＧ＿１)のみにＤＲＣが適用される。具体的に、基地局で受信した各使用者のＤＲＣ適用時点は、一つのエンコーダパケットが終了される１／２スロット前に送信されたＤＲＣが適用される。従って断続率が１/４である場合、一つのエンコーダパケット送信が終了される１／２スロット前には１番目使用者グループ(ＵＧ＿１)がＤＲＣを送信した状態である。即ち、基地局から伝送されるデータに適用されるＤＲＣは１番目使用者グループ(ＵＧ＿１)が伝送したＤＲＣになる。従ってスロットごとに基地局でＤＲＣをスケジュリングするために、該当スロットで適用される使用者グループのＤＲＣと該当スロット以前の断続率に対応する周期の間に、以前使用者グループの最近ＤＲＣ情報を共に考慮して順方向リンクのデータ率を決定するのが望ましい。
【００３３】
前記図７はパイロット信号とＤＲＣが時間分割多重化された場合を説明しているが、パイロット信号とＤＲＣチャネルが符号分割多重化(Code Division Multiplexing)される場合にも同一に断続送信を適用することができ、ＤＲＣチャネルを断続的に伝送することにより、逆方向リンクの干渉量を減少させることができる。
【００３４】
前記図８は前記図７で説明したように、使用者グループ別にＤＲＣチャネルは与えられた断続率及びスロットスタート点で断続的に伝送し、パイロット信号はオフセットを適用しないで連続的に伝送する場合を示す。前記図５及び図７のように、パイロット信号にオフセットを適用する場合には、他の使用者グループにある使用者のパイロット信号と干渉が発生しない。しかしＤＲＣチャネルを送信する使用者との干渉が存在する。パイロット信号にオフセットを適用しない場合は、断続的にＤＲＣを伝送する場合のみを除いて、従来の高速データ伝送方式と同一である。この場合には、パイロット信号間の干渉がオフセットを適用する場合に比べて増加することができるが、ＤＲＣを送信する区間での干渉は減少させることができる。
【００３５】
前記図８はパイロット信号とＤＲＣチャネルが時間分割多重化された場合を説明しているが、パイロット信号とＤＲＣチャネルが符号分割多重化(Code Division Multiplexing)される場合にも同一に断続送信を適用することができ、ＤＲＣチャネルを断続的に伝送することにより逆方向リンクの干渉量を減少させることができる。
【００３６】
本発明で提案する断続的なＤＲＣ伝送方式は、逆方向リンクの容量超過(または飽和)時、それぞれの使用者がＤＲＣチャネルを断続的に伝送することにより使用者間の干渉を低減し、逆方向リンクの容量を減少させる方式である。
【００３７】
既存の高速データ伝送方式を使用するシステムで、上述したように各移動局(ＡＴ)はスロットごとにＤＲＣを送信している。この時、逆方向リンクの容量は制限されている。従って逆方向リンクの使用者数が容量を超過すると、新しい移動局(ＡＴ)は順方向リンクを通じてデータを受信できない。従って、前記移動局(ＡＴ)は連続的なＤＲＣ伝送方式から断続的な伝送方式に転換して逆方向リンクの容量を増大すべきである。
【００３８】
逆方向リンクの容量が所定基準値を超過する場合、基地局(ＡＮ)はＤＲＣ電力値と他の移動局(ＡＴ)による干渉量の比を決定すべきである。ＤＲＣチャネルのフレーム当たりエラー率のスレショルド値(Threshold value)をＤＲＣSERとし、前記ＤＲＣSERスレショルド値に対応する信号対雑音比を
【数１】
0003748552.tif 000004
と定義する。そして、各移動局(ＡＴ)の逆拡散前の基地局受信電力量を
【数２】
0003748552.tif 000005
とし、雑音を含む各移動局(ＡＴ)の逆拡散前の受信信号電力量の和をＩ0とし、任意の移動局(ＡＴ)の受信端でのＤＲＣ電力量を
【数３】
0003748552.tif 000006
と定義する。従って一番目使用者のためのＤＲＣ検出で干渉量は
【数４】
0003748552.tif 000007
に示す。従って、前記ＤＲＣ受信電力量
【数５】
0003748552.tif 000008
と雑音を含む他の移動局(ＡＴ)の干渉量Ｉoで自分信号の電力
【数６】
0003748552.tif 000009
を引いた値の比は下記＜数式１＞のように示す。下記＜数式１＞は所定使用者のＤＲＣ電力量対干渉量の比を示す数式である。
【数７】
0003748552.tif 000010
【００３９】
本発明の実施形態により前記＜数式１＞を利用して連続的なＤＲＣ伝送方式を断続的伝送方式に転換するための値、即ちデータ率制御(ＤＲＣ)信号の標準信号対雑音比である
【数８】
0003748552.tif 000011
を決定するための方法には二つがある。一番目は、各使用者の受信ＤＲＣ電力と他の使用者の干渉量の比の平均値を前記
【数９】
0003748552.tif 000012
に定める方法であり、二番目は各使用者の受信ＤＲＣ電力と他の使用者の干渉量の比中、最小値を前記
【数１０】
0003748552.tif 000013
に定める方法である。
【００４０】
図９及び図１０は本発明の実施形態による逆方向リンクの容量が所定基準値を超過する場合、断続的なＤＲＣ伝送に転換されるように前記
【数１１】
0003748552.tif 000014
値を決定するための逆方向リンク受信器の構造を示している。以下、前記図９及び図１０を説明することにおいて、すべての使用者に対応する受信器の構造はすべて同一であるので、使用者１の受信器構成のみに対して説明する。
【００４１】
以下、前記図９を参照して前記一番目方法による構成及び動作を説明する。
基地局受信器は移動局１(ＡＴ１)の使用者１(user１)から受信される信号電力(Pu1)をＩ二乗器１００１とＱ二乗器１００３と加算器１００５により測定する。このように他の使用者の信号電力(ＰUN)は、それぞれのＩ二乗器とＱ二乗器を通じて測定される。前記のように測定された信号電力は加算器１００７に入力される。前記加算器１００７は前記各使用者の信号電力を合算したＩｏ値を減算器１０２３に出力する。前記減算器１０２３は前記加算器１００７で出力されるＩOと前記加算器１００５で出力される
【数１２】
0003748552.tif 000015
を受信して、前記ＩOから
【数１３】
0003748552.tif 000016
を減算して出力する。即ち、ＩOと
【数１４】
0003748552.tif 000017
の差を求めると、他の使用者の信号電力中、自己信号電力を引いた値
【数１５】
0003748552.tif 000018
を得ることができる。前記移動局と他の移動局間の干渉量を測定するための構成であるＩ二乗器１００１、Ｑ二乗器１００３、加算器１００５、加算器１００７及び減算器１０２３を通称して“電力測定部”とする。また、使用者１のＩ及びＱ信号は複素逆拡散１００９に入力され複素逆拡散され出力される。乗算器１０１１は前記複素逆拡散されたＩ信号を長さ４の直交関数０番によりチャネル逆拡散して出力し、乗算器１０１３は前記複素逆拡散されたＱ信号を長さ４の直交関数２番によりチャネル逆拡散して出力する。前記チャネル逆拡散されたＩ信号はパイロット信号、ＤＲＣ及びＲＲＩを有する。ＤＲＣ抽出器１０１５は前記チャネル逆拡散されたＩ信号からＤＲＣを抽出してデコーダ１０１９に出力する。デコーダ１０１９は前記ＤＲＣをデコーディングして元のＤＲＣを出力する。一方、デコーダ１０１７は前記チャネル逆拡散されたＱ信号をデコードしてトラヒックデータを出力する。ＤＲＣ測定部１０２１は前記ＤＲＣを受信し、前記ＤＲＣの受信電力(
【数１６】
0003748552.tif 000019
)を測定して出力する。ＤＲＣ信号対雑音比測定部１０２５は、前記減算器１０２３の出力
【数１７】
0003748552.tif 000020
とＤＲＣ測定部１０２１の出力(
【数１８】
0003748552.tif 000021
)を受信して、使用者１に対するＤＲＣチャネルの信号対雑音比(ＤＲＣ Ｅb／Ｎt)を求めて出力する。すべての使用者それぞれに対するＤＲＣチャネルの信号対雑音比を受信して、ＤＲＣチャネルの平均信号対雑音比を出力するＤＲＣチャネルの平均信号対雑音比測定部は、図９のように加算器１０２９と乗算器１０３１に構成される。前記加算器１０２９は前記各使用者からそれぞれのＤＲＣチャネルのＥb／Ｎtを受信して加算し、前記乗算器１０３１は前記加算された信号を使用者数(Ｎ)に分けて、平均ＤＲＣチャネルのＥb／Ｎtを出力する。すると、制御部１０３５は、前記乗算器１０３１からの前記平均ＤＲＣチャネルのＥb／Ｎtを所定基準値と比較してＤＲＣチャネルを断続するか、及び該当断続率を決定する。
【００４２】
以下、前記図１０を参照して前記二番目方法による構成及び動作を説明する。
前記図９の一番目方法が使用者それぞれに対するＤＲＣＥb／Ｎtを平均してＤＲＣチャネルの信号対雑音比(またはＤＲＣチャネルの受信強さ)を求めることに対して、図１０の二番目方法はＤＲＣチャネルの標準信号対雑音比測定部が最小値検出器(ＭＩＮ)１１０１に構成される。前記最小値検出器１１０１は使用者それぞれのＤＲＣＥb／Ｎtを受信して、最小になるＤＲＣＥb／Ｎtを
【数１９】
0003748552.tif 000022
に出力する。すると、制御部１０３５は前記最小値検出器１１０１からの前記最小になるＤＲＣＥb／Ｎtを所定基準値と比較して、ＤＲＣチャネルを断続するか、及び該当断続率を決定する。
【００４３】
即ち、前記図９、または図１０で説明した方法により求められた
【数２０】
0003748552.tif 000023
は制御部１０３５に入力される。前記制御部１０３５は前記
【数２１】
0003748552.tif 000024
を受信して、後述される図１１(断続率決定アルゴリズム)の動作を遂行する。
【００４４】
前記図１１は本発明の実施形態による基地局でそれぞれの使用者からの信号強さを測定してＤＲＣチャネルの断続率を決定するための手順を示している。
前記図１１を参照すると、基地局(ＡＮ)の制御部１０３５は前記図９、または図１０を通じて求められたＤＲＣチャネルの標準信号対雑音比(
【数２２】
0003748552.tif 000025
)を受信する。以後、前記制御部１０３５は１１０１段階で前記ＤＲＣチャネルの標準信号対雑音比(
【数２３】
0003748552.tif 000026
)を
【数２４】
0003748552.tif 000027
と比較する。もし、前記
【数２５】
0003748552.tif 000028
が前記
【数２６】
0003748552.tif 000029
より大きいと、１１１１段階に進行し、そうでないと１１０３段階に進行する。そして、前記制御部１０３５は前記１１０３段階で、
【数２７】
0003748552.tif 000030
が
【数２８】
0003748552.tif 000031
より大きいかを比較する。もし、前記
【数２９】
0003748552.tif 000032
が
【数３０】
0003748552.tif 000033
より大きいと、前記制御部１０３５は１１０７段階に進行して断続率を１/２に設定し、そうでないと１１０５段階に進行する。そして、前記制御部１０３５は前記１１０５段階で、
【数３１】
0003748552.tif 000034
が
【数３２】
0003748552.tif 000035
より大きいかを判断する。前記判断結果、
【数３３】
0003748552.tif 000036
が
【数３４】
0003748552.tif 000037
より大きいと、制御部１０３５は１１０９段階に進行して断続率を１/４に設定する。前記１１０５段階の条件を満足しないと、制御部１０３５は前記誤りマージン(Δ)を変更しながら、前記のような過程を反復遂行する。本発明の実施形態では一つのフレームが１６個のスロットに構成されるので、断続率を１/１６まで設定することができる。例えば、移動局から基地局に送信するデータの単位は、３２個のスロットに構成されたエンコーダパケット単位に伝送され、この時、基地局は移動局とフレーム同期化されているので、最大断続率が１/１６まで可能であり、スロットスタート点も１６個の位置からスタートすることができる。
【００４５】
前記Δ、δ2、δ3は誤りマージンである。前記のような過程を遂行して断続率が決定されると、制御部１０３５は前記１１１１段階で移動局(ＡＴ)から受信された逆方向リンクデータ率と断続率情報を利用して、それぞれの移動局(ＡＴ)に対する断続率、スロットスタート点及びパイロットオフセットを決定する。そして、前記決定された断続率に応じて逆方向リンクのＤＲＣをグループ化する。そして、前記制御部１３０５は１１１３段階で前記断続率、スロットスタート点及びパイロットオフセットに対する情報を含むシグナリングメッセージを生成してそれぞれの移動局(ＡＴ)に伝送する。前記シグナリングメッセージを伝送した後、前記制御部１３０５は１１１５段階で次のスロットに対して上述した過程をさらに遂行する。
【００４６】
前記シグナリングメッセージは次のようなフォーマットを有する。一例に、前記シグナリングメッセージは、既存のトラヒックチャネル割り当てメッセージの留保されたフィールド(Reserved field)を利用して具現する。即ち、前記のように既存に定義されたメッセージを利用してＤＲＣ断続制御メッセージを具現することができ、新しいメッセージを定義して具現することもできる。前記トラヒックチャネル割り当てメッセージのフォーマットは下記＜表３＞のようである。
【表３】
0003748552.tif 000038
【００４７】
前記＜表３＞のように従来のトラヒックチャネル割り当てメッセージの構造で断続的なＤＲＣ伝送のため追加されるフィールドは、ＤＲＣ断続モード(ＤＲＣ Slot Mode)フィールド、断続率(ＤＲＣ Slot Rate)フィールド、断続スタートスロット(ＤＲＣ Starting_Point)フィールド、パイロットオフセット(Pilot_OFFset)フィールドである。各フィールドに対して詳細に説明すると、次のようである。
0003748552.tif 000039
【００４８】
下記＜表４＞は従来のチャネル割り当てメッセージにＤＲＣ断続制御のため追加されるフィールドを示している。下記＜表４＞のようにＤＲＣ断続制御のためのフィールドのみをチャネル割り当てメッセージを通じて伝送する方法もあり得る。即ち、下記＜表４＞はチャネル割り当てメッセージを再度伝送する必要がない場合に、ＤＲＣ断続制御メッセージのみを伝送する場合のメッセージフォーマットである。下記＜表４＞で“Message ID”はＤＲＣ断続制御メッセージを識別するためのフィールドである。
【表４】
0003748552.tif 000040
【００４９】
前記＜表３＞及び＜表４＞のようなシグナリングメッセージ(signaling message)は、連続的なＤＲＣ伝送方式である場合、ＤＲＣ Slot Modeは“０”を送信し、断続的なＤＲＣ伝送方式に転換される場合“１”を送信する。もし、新しい加入者に対してサービスを提供する場合、前記“ＤＲＣ Slot Mode”フィールドは“１”に設定する。
【００５０】
図１２は本発明の実施形態により使用者が減少して逆方向リンクの容量が改善された場合、逆方向リンクの断続的ＤＲＣ伝送方式から連続的なＤＲＣ伝送方式に転換するための手順を示している。
前記図１２を参照すると、制御部１０３５は１２０１段階で
【数３５】
0003748552.tif 000041
の条件を満足するかを判断する。前記制御部１０３５は前記条件を満足すると、１２０３段階に進行して断続的なＤＲＣ伝送方式から連続的なＤＲＣ伝送方式に転換する。ここで、前記“δ1”は断続的なＤＲＣ伝送方式から連続的なＤＲＣ伝送方式に転換される境界値のマージンである。前記１２０３段階で断続モードから連続モードに転換された後、前記制御部１３０５は１２０５段階に進行して前記＜表３＞または＜表４＞のチャネル割り当てメッセージを通じて移動局(ＡＴ)に連続モードに転換されたことを通報する。しかし前記１２０１段階の条件を満足しないと、制御部１０３５は１２０７段階に進行して、
【数３６】
0003748552.tif 000042
を満足するかを判断する。前記条件を満足すると、制御部１０３５は１２０９段階に進行して断続率が１/２であるＤＲＣ伝送方式に転換する。しかし、１２０７段階の条件を満足しないと、１２１３段階に進行して断続率が１/４であるＤＲＣ伝送方式に転換する。前記のように断続率が変更されると、前記制御部１３０５は１２１１段階に進行して、前記＜表３＞または＜表４＞のチャネル割り当てメッセージを通じて前記変更された断続率を移動局に知らせる。前記１２０５段階及び前記１２１１段階を遂行した後、前記制御部１３０５は１２１５段階に進行して次のスロットに対して前記のような過程をさらに遂行する。一方、前記＜表３＞または＜表４＞のようなメッセージを受信した移動局は、後述される図１４の過程を遂行するようになる。
【００５１】
本発明の理解を助けるために、図１３を参照して連続モードから断続モードに、断続モードから連続モードに転換する過程を具体的に説明すると、次のようである。
前記図１３は逆方向リンクの容量変更時、連続的なＤＲＣ伝送方式から断続的ＤＲＣ伝送方式に、または逆方向リンク容量改善時、断続的なＤＲＣ伝送方式から連続的なＤＲＣ伝送方式に転換するための境界値を示している。
【００５２】
上述したように、参照番号１３−１は
【数３７】
0003748552.tif 000043
によるＤＲＣシンボル誤り値の変化を示し、参照番号１３−３は基地局での望ましいＤＲＣシンボル誤り値をＤＲＣSERとする時、前記望ましいＤＲＣSERに対応する
【数３８】
0003748552.tif 000044
の境界を示す。参照番号１３−２は断続率が１/４から１/２に変更される境界を示す。ここで、前記境界に該当するＤＲＣチャネルの受信強さは
【数３９】
0003748552.tif 000045
になる。例えば、基地局で測定された
【数４０】
0003748552.tif 000046
の値が
【数４１】
0003748552.tif 000047
より大きく、
【数４２】
0003748552.tif 000048
より小さいと、断続率を１/２に設定する。しかし、前記
【数４３】
0003748552.tif 000049
の値が
【数４４】
0003748552.tif 000050
値より小さいと、断続率を１/４に設定する。このような方式に測定された逆方向リンクの容量により断続率を変更することができる。
【００５３】
一方、参照符号１３−４は逆方向リンクの容量超過時、連続的なＤＲＣ伝送方式から断続的なＤＲＣ伝送方式に転換するための境界を示す。前記境界に該当するＤＲＣチャネルの信号対雑音比(または受信強さ)は
【数４５】
0003748552.tif 000051
になる。即ち、
【数４６】
0003748552.tif 000052
の値が前記
【数４７】
0003748552.tif 000053
の値より小さいと、連続的なＤＲＣ伝送方式から断続的なＤＲＣ伝送方式に転換する。また、参照符号１３−５は断続的なＤＲＣ伝送方式で逆方向リンクの容量が基準値未満である場合、さらに連続的なＤＲＣ伝送方式に転換するための境界を示す。前記境界に該当するＤＲＣチャネルの信号対雑音比は
【数４８】
0003748552.tif 000054
になる。このような場合、
【数４９】
0003748552.tif 000055
値が
【数５０】
0003748552.tif 000056
より大きいと、断続的なＤＲＣ伝送方式から連続的なＤＲＣ伝送方式に転換する。
【００５４】
上述したように、連続的なＤＲＣ伝送方式から断続的なＤＲＣ伝送方式に転換される時点は、
【数５１】
0003748552.tif 000057
値が
【数５２】
0003748552.tif 000058
値より小さい時点である。一方、前記断続的なＤＲＣ伝送でも
【数５３】
0003748552.tif 000059
値が
【数５４】
0003748552.tif 000060
より大きく、
【数５５】
0003748552.tif 000061
より小さいと、断続率を“１/２”に設定し、
【数５６】
0003748552.tif 000062
値が
【数５７】
0003748552.tif 000063
より小さいと、断続率を“１/４”に設定する。ここでδ2は断続率が１/４である場合に転換されるためのマージンである。
【００５５】
一方、逆方向リンクの容量改善のため、前記断続的なＤＲＣ伝送方式から連続的なＤＲＣ伝送方式に再転換される時点は、次のようである。前記
【数５８】
0003748552.tif 000064
値が伝送率を高めるためのマージンδ1を有する場合、逆方向リンクを通じた使用者が断続的な伝送方式を遂行していた場合、前記
【数５９】
0003748552.tif 000065
が前記
【数６０】
0003748552.tif 000066
より小さく測定され、逆方向リンクの使用者数が減少され容量が改善されると、この時、さらに連続的なＤＲＣ伝送方式に転換される。このような場合、
【数６１】
0003748552.tif 000067
値が
【数６２】
0003748552.tif 000068
より大きいと、断続的なＤＲＣ伝送方式から連続的なＤＲＣ伝送方式に転換される。ここで、δ1は断続的なＤＲＣ伝送方式が連続的なＤＲＣ伝送方式に転換される境界値のマージンである。
【００５６】
図１４は本発明の実施形態による移動局で基地局からのシグナリングメッセージを分析して、ＤＲＣチャネルの断続率を検出するための手順を示している。
前記図１４を参照すると、１４０１段階で基地局(ＡＮ)からシグナリングメッセージが受信されると、移動局(ＡＴ)は１４０３段階で前記シグナリングメッセージに含まれた断続伝送(ＤＲＣ Slot Mode)、スロットスタート点(ＤＲＣ Starting_Point)、断続率(ＤＲＣ Slot Rate)及びパイロットオフセット(Pilot Offset)を検出するか、または前記チャネル割り当てメッセージに含まれた断続伝送、ＭＡＣインデックス及び断続率を利用して移動局でスロットスタート点とパイロットオフセットを決定する。前記情報が検出されると、１４０３段階で移動局(ＡＴ)は前記チャネル割り当てメッセージの断続伝送情報に基づいてＤＲＣチャネルが断続伝送であるかを判断する。前記判断結果、断続的伝送モードに判断されると、移動局(ＡＴ)は１４０５段階で前記検出されたスロットスタート点と断続率情報によりＤＲＣチャネルを断続的に送信するように制御する。一方、前記移動局は１４０７で前記チャネル割り当てメッセージのパイロット信号のオフセット情報に基づいてパイロット信号にオフセットを適用して伝送するかを判断する。前記パイロット信号がオフセットを有する場合、移動局は１４０９段階で前記図５及び図７のように、パイロット信号にオフセットを適用して送信するように制御する。前記１４０３段階で断続的伝送モードではないと判断された場合、前記１４０７段階でパイロット信号にオフセットを適用しないと判断された場合、または前記１４０９段階でパイロット信号のオフセットを制御した後、前記移動局は１４１１段階に進行して次のスロットに対する制御を準備する。
【００５７】
上述した本発明の一実施形態では、基地局のＤＲＣ検出能力を向上させるために、逆方向ＤＲＣチャネルを断続的に伝送する。一方、高速データ伝送方式でＤＲＣチャネルによる逆方向干渉を減少させる他の方法に、同一のＤＲＣチャネルを二つ以上の連続されたスロットにパイロットチャネルより低く伝送する方式がある。以下、ＤＲＣチャネルの伝送電力を低く伝送する場合に対して詳細に説明する。
【００５８】
図１５は本発明の実施形態による高速データ伝送方式を適用する移動通信システムで、同一のデータ率制御チャネルを反復して伝送する場合を示している。図示されたように、反復されるスロットの個数は“４”である。従って、移動局は基地局が指定した反復されるスロットの個数により、４スロットの間、同一のＤＲＣチャネル伝送するようになる。この時、前記ＤＲＣチャネルの伝送電力はパイロットの伝送電力より低く伝送される。即ち、４個の連続されたスロットで伝送される同一のＤＲＣチャネルがパイロットチャネルの２５％に該当する伝送電力に伝送され、逆方向リンクで移動局のＤＲＣチャネル伝送による干渉を減少させる。基地局は４個のスロットで受信されるＤＲＣチャネルを累積して逆方向パイロットチャネルと同一のパワーを有した一つのＤＲＣチャネルを獲得するようになる。即ち、前記獲得されたＤＲＣチャネルは復調のために要求される十分なパワーを有する。
【００５９】
前記図１５では４個の連続されたスロットに同一のＤＲＣチャネルを伝送する場合のみを説明したが、任意の個数の連続されたスロットでも同一の方式に適用することができる。例えば、下記＜表５＞のように反復されるスロットの個数が１個、２個、または４個になることができる。一方、前記同一ＤＲＣ情報を伝送する連続されたスロットの個数とＤＲＣ情報の伝送電力に対する情報は、シグナリングメッセージ(Signaling message)を通じて基地局から移動局に伝送されるか、基地局が反復されたスロットの個数に対する情報を伝送し、これを利用して移動局がＤＲＣ情報伝送の出力を決定することができる。
【００６０】
例えば、同一のＤＲＣチャネルの反復回数が“４”である場合、下記＜表５＞のようにＤＲＣチャネルの伝送電力は、パイロットチャネルの伝送電力の２５％に決定する。
【表５】
0003748552.tif 000069
【００６１】
上述したように、同一のＤＲＣチャネルを二つ以上の連続されたスロットに伝送し、ＤＲＣ情報伝送電力を低くする方式は、本発明の一実施形態で説明した断続的ＤＲＣ情報伝送方式でも同一に適用されることができる。この場合、同一のＤＲＣチャネル中で一つ以上のＤＲＣチャネルを断続し、断続されないＤＲＣチャネルの伝送電力は、パイロットチャネルの伝送電力と同一であるか、低く調整する。
【００６２】
図１６は本発明の実施形態による高速データ伝送方式を適用する移動通信システムで同一のＤＲＣ情報を反復して伝送する場合、同一のＤＲＣチャネル中の少なくとも一つを断続する場合を示している。示されたように、反復されるスロットの個数は“４”である。従って、移動局は４スロット区間の間、同一のＤＲＣチャネルを伝送するようになる。この時、移動局は偶数番目スロット２番目、４番目)でＤＲＣチャネルを断続し、パイロットチャネルのみを伝送する。そして、前記奇数番目スロット(１番目、３番目)で伝送されるＤＲＣチャネルの伝送電力は、前記パイロットチャネルの伝送電力より低く調整する。例えば、前記パイロットチャネルの伝送電力の５０％に該当するように調整する。即ち、同一のＤＲＣチャネルを伝送する４個の連続されたスロット中、二つのスロットのＤＲＣチャネルは断続され、残りの二つのスロットのＤＲＣチャネルはパイロットチャネルの伝送電力より低く伝送される。
【００６３】
即ち、本発明の他の実施形態は逆方向リンクの容量が超過される場合、移動局が同一のＤＲＣチャネルを二つ以上の連続されたスロットでパイロットチャネルより低く基地局に送信する。前記移動局が基地局にＤＲＣチャネルを反復伝送するためには、先ず同一のＤＲＣチャネルが反復されるスロットの個数及びＤＲＣチャネルの伝送電力を把握すべきである。前記同一のＤＲＣチャネルが反復されたスロットの個数及びＤＲＣチャネルの伝送電力に対する情報は、シグナリングメッセージ(Signaling message)を通じて基地局から移動局に伝送されるか、または基地局が反復されるスロットの個数に対する情報を伝送し、これを利用して移動局がＤＲＣチャネルの伝送電力を決定することができる。
【００６４】
図１７は本発明の他の実施形態による逆方向リンク送信器の構造を示している。即ち、前記図１７は同一のデータ率制御チャネルを二つ以上の連続されたスロットで伝送する場合、その伝送電力をパイロットチャネルより低く調整するための構成を示している。
図示されたように、前記図１７はＤＲＣチャネル送信器の構成を除いて、前記図１で説明した送信器構成と類似な構造を有する。従って、前記ＤＲＣチャネル送信器のみに対して説明する。
【００６５】
符号器１１７は４ビットＤＲＣ情報を(８、４、４)ブロックエンコーディング(block encoding)して出力する。ここで、前記符号器１１７は前記制御部の制御下に、同一の４ビットＤＲＣ情報を所定回数反復エンコーディングして出力する。符号語反復器１１９は前記符号器１１７からの出力符号語(code word)を所定回数反復して出力する。乗算器１２１は前記符号語反復器１１９からの出力と与えられた長さ２の直交符号(Ｗ02)をかけて直交拡散して出力する。ウォルシュカバー器１１３はＤＲＣウォルシュカバーインデックスを受信してセクタ区分用ウォルシュカバーを出力する。乗算器１２３は前記乗算器１２１の出力と前記ウォルシュカバー器１１３の出力をかけて出力する。ＤＲＣ利得調整器１７００は前記乗算器１２３の出力を利得調整して出力する。例えば、４スロット区間の間、同一のＤＲＣチャネルが４番反復して伝送される場合、ＤＲＣ利得調整器１７００はＤＲＣチャネルの伝送電力がパイロットチャネル伝送電力の２５％になるように利得調整する。乗算器１２５は前記ＤＲＣ利得調整器１７００の出力と設定された直交符号(Ｗ04)をかけてＤＲＣチャネル信号を出力する。一方、反復モードから断続モードへの転換のため、即ち、後述される図２１のような伝送モードを支援するために、前記利得調整器１７００と前記乗算器１２５間に断続器(図４のスイッチ４０５)をさらに付加させることができる。移動局は基地局から反復モード遂行中に、断続モードへの転換指示を受信する場合、前記断続器を制御して反復されるＤＲＣチャネル中の少なくとも一つを断続させる。そして、前記移動局は前記ＤＲＣチャネル信号の利得も前記利得調整器１７００を使用して再調整する。即ち、前記移動局は基地局で同一ＤＲＣチャネル信号を累積することにより決定された伝送電力と前記パイロットチャネルの伝送電力が同一になるようにＤＲＣチャネル信号の利得を調整する。
【００６６】
即ち、上述したように、各使用者は同一のＤＲＣチャネルが反復されるスロットの個数及びＤＲＣチャネルの伝送電力情報、即ち、基地局から提供された情報に基づいてＤＲＣチャネルとパイロット信号を送信するようになる。具体的に、前記チャネル拡散されたＤＲＣチャネル信号は前記ＤＲＣ利得調整器１７００に入力される。前記ＤＲＣ利得調整器１７００は同一のＤＲＣ情報が反復されたスロットの個数により決定されたＤＲＣ情報伝送電力に基づいてＤＲＣチャネルの伝送電力を調整して出力する。このようにＤＲＣチャネルの伝送電力を調整することにより、使用者のＤＲＣチャネル間の干渉を減少させることができる。
【００６７】
一方、前記同一のデータ率制御チャネルを二つ以上の連続されたスロットでパイロットチャネルより低く伝送する方式でも、パイロットオフセットを利用して逆方向で使用者パイロット信号間の干渉を減少させることができる。この場合、パイロットオフセットを設定するかは、シグナリングメッセージの所定フィールドを利用して直接的に移動局に知らせるか、基地局により割り当てられたＭＡＣインデックスを利用して移動局で間接的に決定することができる。例えば、前記ＭＡＣインデックスが偶数、または奇数であるかによって、パイロットオフセットを設定するか、設定しない。
【００６８】
図１８は本発明の実施形態による基地局でのそれぞれの使用者から受信した信号を測定して逆方向リンクの容量を超過する場合、既存の連続的なＤＲＣ伝送方式から同一のデータ率制御チャネルを二つ以上の連続されたスロットでパイロットチャネルより低く伝送する方式に転換する動作流れを示す図である。
前記図１８を参照すると、基地局(ＡＮ)は１８０１段階で図９、または図１０を通じて測定された
【数６３】
0003748552.tif 000070
を
【数６４】
0003748552.tif 000071
と比較する。もし、前記測定された
【数６５】
0003748552.tif 000072
が前記
【数６６】
0003748552.tif 000073
より大きいと、１８１１段階に進行し、そうでないと１８０３段階に進行する。そして、前記基地局は前記１８０３段階で前記
【数６７】
0003748552.tif 000074
と
【数６８】
0003748552.tif 000075
を比較する。もし、前記
【数６９】
0003748552.tif 000076
が前記
【数７０】
0003748552.tif 000077
より大きいと、１８０７段階に進行して逆方向ＤＲＣチャネルをパイロットチャネルの５０％伝送電力に２回反復して伝送するように決定した後、前記１８１１段階に進行し、そうでないと１８０５段階に進行する。そして、前記基地局は前記１８０５段階で前記測定された
【数７１】
0003748552.tif 000078
と
【数７２】
0003748552.tif 000079
を比較する。もし、前記測定された
【数７３】
0003748552.tif 000080
が前記
【数７４】
0003748552.tif 000081
より大きいと、１８０９段階に進行してＤＲＣチャネルをパイロットチャネルの２５％伝送電力に４回反復して伝送するように決定した後、前記１８１１段階に進行する。即ち、同一のＤＲＣの反復回数がＮである場合、ＤＲＣチャネルの伝送電力はパイロットチャネルの１／Ｎになる。ここで、前記Δ、δ2、δ3は誤りマージンを示す。前記のように、ＤＲＣチャネルの反復回数及び伝送電力が決定されると、前記基地局は前記１８１１段階で前記決定されたＤＲＣチャネルの反復回数及び伝送電力により復調器を割り当てる。そして、１８１３段階で前記決定されたＤＲＣチャネルの反復回数及び伝送電力情報を含むシグナリングメッセージを移動局(ＡＴ)に伝送する。以後、基地局は１８１５段階で反復回数により受信されたＤＲＣチャネルを集めた後、ＤＲＣチャネルの受信強さを判定する。
【００６９】
上述した図１５乃至図１８は、逆方向リンクの干渉量を測定した後、ＤＲＣチャネルの反復回数及びＤＲＣチャネルの伝送電力を決定するが、これとは異なり、前記方式を適用する前に、すでに同一のＤＲＣチャネルを連続されたスロットに伝送している場合、ＤＲＣチャネルの伝送電力をパイロットチャネルの伝送電力より低くすることにより、逆方向リンクの干渉を低減することができる。即ち、ＤＲＣチャネルの反復回数(ＤＲＣ Length)が２、または４である場合に、ＤＲＣチャネルの伝送電力をパイロットチャネルの伝送電力より低くすることにより、逆方向リンクの干渉を低減するものである。例えば、前記同一のＤＲＣチャネルを二つ以上の連続されたスロットで伝送し、ＤＲＣチャネルの伝送電力を低くする方式を適用する前に、すでにＮ個の連続されたスロット区間で同一のＤＲＣチャネルが伝送されている場合、ＤＲＣチャネルの伝送電力をパイロットチャネルの伝送電力の１／Ｎにすることにより、逆方向リンクでの干渉量を低減することができる。言い換えれば、ＤＲＣチャネルがパイロットチャネルと同一の伝送電力に反復され伝送される場合、伝送中にＤＲＣチャネルの伝送電力をシグナリングメッセージを通じてパイロットチャネルの伝送電力より低く調整することができる。また、ＤＲＣチャネルの反復伝送中、基地局が移動局にシグナリングメッセージを通じて断続伝送指示を伝送することもできる。例えば、ＤＲＣチャネルの反復伝送中に、逆方向干渉が増加して所定スレショルド値を超過する場合、基地局はＤＲＣチャネルを断続的に伝送することを移動局に指示することができる。この時、移動局は呼セットアップ時、基地局により割り当てられたＤＲＣチャネルの反復回数(ＤＲＣ_Length)を逆数して断続率(ＤＲＣ Slot Rate)を決定する。以下、前記ＤＲＣチャネルの反復回数(ＤＲＣ_Length)を利用して、ＤＲＣチャネルの断続送信を制御する方法に対して説明する。
【００７０】
図１９は本発明の実施形態による基地局で断続率をシグナリングメッセージを通じて移動局に知らせるための手順を示している。前記図１９を参照すると、基地局は１９０１段階でＤＲＣチャネルの反復回数(ＤＲＣ_Length)を決定し、前記決定された反復回数を逆数して断続率(ＤＲＣ Slot Rate)を決定する。この場合、断続率は同一のＤＲＣ情報を伝送するスロット個数の逆数になる。下記＜表６＞は同一のＤＲＣ情報を反復して伝送するスロットの個数(ＤＲＣ Length)に対して適用する断続率を示している。
【表６】
0003748552.tif 000082
【００７１】
以後、前記基地局は１９０３段階で各移動局別にＭＡＣインデックス、断続モード(連続モード、または断続モード)及び断続率(またはＤＲＣ_Length)を含むシグナリングメッセージを生成する。そして、前記基地局は１９０５段階で前記生成されたシグナリングメッセージを該当移動局(Access Terminal)に伝送する。
【００７２】
図２０は前記シグナリングメッセージを受信した移動局が前記メッセージに含まれた情報を利用して逆方向ＤＲＣチャネルを断続送信するための断続率及びスロットスタート点を決定するための手順を示す。前記ＭＡＣインデックス及びＤＲＣチャネルの反復回数を含むシグナリングメッセージは、移動局がシステム初期アクセス時に伝送されるメッセージである。移動局は前記シグナリングメッセージに含まれたＤＲＣチャネルの反復回数によりＤＲＣチャネルを反復して伝送しながら、基地局から断続伝送指示が受信されると、前記ＤＲＣチャネルの反復回数を逆数して求められた断続率に応じてＤＲＣチャネルを断続して伝送するようになる。
【００７３】
前記図２０を参照すると、移動局は２００１段階で前記基地局からＭＡＣインデックス及びＤＲＣチャネルの反復回数を含むシグナリングメッセージを受信する。もし、ＤＲＣチャネルの反復回数(ＤＲＣ_Length)を受信すると、前記反復回数を逆数して断続率を決定し、断続率を受信すると、前記断続率を逆数してＤＲＣチャネルの反復回数を求める。即ち、基地局は前記断続率及び反復回数中のいずれか一つの情報のみを移動局に知らせると十分である。以後、前記移動局は２００３段階で前記決定された断続率を利用して断続的伝送周期を求める。前記断続的伝送周期は断続率の逆数である。従って、前記ＤＲＣチャネルの反復回数と前記断続的伝送周期は同一の値を有する。以後、移動局は２００５段階で割り当てられたＭＡＣインデックス(またはＤＲＣウォルシュカバーインデックス)を前記断続的伝送周期に分ける場合の残り値をインデックス値に決定する。そして、前記移動局は２００７段階で前記決定されたインデックス値が“０”であるかを検査する。前記インデックス値が“０”である場合、前記移動局は２００９段階に進行して断続的に伝送されるＤＲＣチャネルのスロットスタート点を一つのフレームのスタートスロットに決定し、そうでない場合、２０１１段階に進行して前記決定されたインデックス値が“１”であるかを検査する。前記インデックス値が“１”である場合、前記移動局は２０１３段階に進行して断続的に伝送されるＤＲＣチャネルのスロットスタート点を一つのフレームの二番目スロットに決定する。このような過程を反復した後、２０１５段階で移動局は前記決定されたインデックス値が“Ｎ−２”であるかを検査する。前記インデックス値が“Ｎ−２”であると、２０１９段階に進行して断続的に伝送されるＤＲＣチャネルのスロットスタート点を一つのフレームのＮ−１番目スロットに決定し、そうでないと、２０１７段階に進行して一つのフレームのＮ番目スロットに決定する。例えば、断続率が１/４である場合、断続的周期は４(＝１／ＤＲＣ Slot Rate)になり、移動局に割り当てられたＭＡＣインデックスが２７である場合、移動局はフレームのスタート点から３スロット後に、ＤＲＣチャネルを伝送し始める。
【００７４】
前記図１９及び図２０は、同一のＤＲＣチャネルを二つ以上の連続されたスロットで反復して伝送する場合に断続的モードを適用したことを説明しているが、同一のＤＲＣ情報を二つ以上のスロットで反復しない場合(連続的なＤＲＣチャネル伝送モード)でも、基地局は前記図９及び図１０のように逆方向リンクの干渉量を測定して断続率を決定し、前記決定された断続率を移動局に提供し、移動局は図２０の前記２００１段階乃至２０１９段階を遂行して断続的ＤＲＣチャネル伝送による一つのフレームのスタートスロットを求めることができる。
【００７５】
前記図２０は移動局が一つのフレーム内でＤＲＣチャネルのスタートスロットを決定する方式を示しているが、同一の方式を利用してパイロットのオフセットを設定することもできる。この場合、移動局に割り当てられたＭＡＣインデックスを前記断続的伝送周期に分けた場合の残り値が奇数、または偶数であるかによって、パイロットにオフセットを設定するか、またはパイロットにオフセット設定しないかを決定する。この以外に、移動局に割り当てられたＭＡＣインデックスを前記断続的伝送周期に分けた場合の残り値が特定値より大きいか、小さいかによりパイロットにオフセットを設定するかを決定することもできる。例えば、断続率が１／４である場合、残り値が２より小さい場合、パイロットオフセットを設定し、２より大きいか、同じである場合、パイロットオフセットを設定しない。
【００７６】
一方、前記ＤＲＣチャネルのスタートスロット及びパイロットオフセットの決定方式は、移動局でＤＲＣ断続率とＭＡＣインデックスを利用して、ＤＲＣチャネルのスタートスロット及びパイロットチャネルにオフセットを設定するかを決定するが、基地局で決定した後、シグナリングメッセージを利用して移動局に伝達することもできる。この場合、基地局は自分が受信する逆方向信号中、それぞれの使用者グループにより発生された干渉信号の大きさを測定した後、最小干渉を発生する使用者グループに属するようにＤＲＣ伝送スタート点を決定し、この情報をシグナリングメッセージを通じて移動局に伝達する。この場合、パイロットチャネルにオフセットを設定するかは、移動局のＤＲＣチャネルのスタートスロット、または所属使用者グループにより決定されることができる。上述したように、基地局でＤＲＣ伝送スタートスロット及びパイロットオフセットを決定して移動局に伝送する方式以外に、基地局が自分に受信された各使用者グループの使用者数を算出した後、移動局に最小の使用者を有する使用者グループのＤＲＣチャネルのスタートスロットとパイロットオフセットを割り当てることもできる。
【００７７】
図２１は本発明の実施形態によるＤＲＣチャネルの反復回数(ＤＲＣ Length)が４である場合、断続的モードを適用した伝送方式でＤＲＣ情報の適用始点(start point)を示している。この場合、順方向リンクにＤＲＣ情報が適用される始点は、すべての使用者グループのＤＲＣ情報が基地局に受信された後、１／２スロットが経過した時である。即ち、基地局は同一の断続的区間(４スロット)で伝送されたすべての使用者グループに属するＤＲＣ情報を受信した後に、順方向リンクに前記ＤＲＣ情報を適用する。前記図２１は同一の断続区間(４スロット)で伝送されたすべての使用者グループのＤＲＣ情報を受信した後に、順方向リンクにＤＲＣ情報を適用する場合を説明しているが、同一の断続的区間(４スロット)で伝送されたすべての使用者グループのＤＲＣ情報を受信しない状態で、一番最近に受信した各使用者グループのＤＲＣ情報を利用して順方向リンクのデータ率を決定することもできる。
【００７８】
前記図２１は同一のＤＲＣ情報が４(ＤＲＣ Length＝４)回反復された場合に断続的モードの適用のみを示しているが、ＤＲＣ情報が任意のＮ回反復される場合にも同一に適用されることができる。反復回数がＮである場合、断続率は１/Ｎになり、基地局は同一の断続的区間(Ｎスロット)で伝送されたすべてのＤＲＣ情報を受信した後に、順方向リンクにＤＲＣ情報を適用する。この場合にも上述したように、パイロットオフセットを適用して逆方向リンクの干渉量を減少させることができる。
【００７９】
図２２は本発明の実施形態によるＤＲＣチャネルの反復回数(ＤＲＣ Length)が“２”である場合、断続的モードを適用した伝送方式でＤＲＣ情報の適用始点を示している。この場合、順方向リンクにＤＲＣ情報が適用される始点は、すべての使用者グループのＤＲＣ情報が基地局に受信された後、１/２スロットが経過した時点である。即ち、基地局は同一の断続的区間(２スロット)で伝送されたすべての使用者グループに属するＤＲＣ情報を受信した後に、順方向リンクに前記ＤＲＣ情報を適用する。前記図２２は同一の断続区間(２スロット)で伝送されたすべての使用者グループのＤＲＣ情報を受信した後に、順方向リンクにＤＲＣ情報を適用する場合を説明しているが、同一の断続的区間(２スロット)で伝送されたすべての使用者グループのＤＲＣ情報を受信しない状態で、一番最近に受信した各使用者グループのＤＲＣ情報を利用して順方向リンクのデータ率を決定することもできる。
【００８０】
図２３は本発明の実施形態による同一の断続的区間(４スロット)に該当するすべての使用者グループのＤＲＣ情報を受信しない状態で、即ち、基地局受信器で一つの断続区間の任意の時点で、ＤＲＣ情報を順方向リンクに適用する場合を示す。ＤＲＣチャネルが断続的に伝送されると、基地局は任意の時点でＤＲＣ情報を受信することもでき、受信しないこともできる。ＤＲＣ情報が到着しない使用者グループのＤＲＣ情報は、一番最近に受信したＤＲＣ情報を利用して順方向リンクのデータ率を決定する。この場合、基地局は移動局のＤＲＣの断続的区間ｎ＋１の使用者グループ１と使用者グループ２のＤＲＣ情報のみを受信したが、断続的区間ｎ＋１の使用者グループ３と使用者グループ４のＤＲＣ情報は受信しない状態である。このような場合、基地局は一番最近に受信したＤＲＣ情報である断続的区間ｎのＤＲＣ情報を利用して順方向リンクのデータ率を決定する。即ち基地局は、前記ｎ区間で受信した使用者グループ３、４のＤＲＣ情報と前記ｎ＋１区間で受信した使用者グループ１、２のＤＲＣ情報を比較して、順方向データを受信する移動局を選択して該当移動局に決定されたデータ率にデータを伝送する。
【００８１】
前記図２３は使用者グループ３と使用者グループ４のＤＲＣ情報受信に失敗した場合のみに対して説明しているが、任意の使用者グループのＤＲＣ情報受信に失敗した場合にも同一に適用されることができる。また使用者グループの個数が４である場合のみを説明しているが、使用者グループの個数が４以外の数字である場合にも同一に適用することができる。
【００８２】
上述した本発明の実施形態はパイロット信号とＤＲＣチャネルが時間分割多重化された場合を説明しているが、本発明はパイロット信号とＤＲＣが符号分割多重化(Code Division Multiplexing)された場合にも同一に適用することができる。
【００８３】
図２４は本発明の実施形態によるパイロット信号とＤＲＣチャネルが符号分割多重化された場合に対する断続的モードの実施形態を示す図である。特に、同一のＤＲＣ情報が４回反復される場合(ＤＲＣ Length＝４)、断続率１/４の断続的モードを適用した伝送方式を示す図である。この場合、パイロット信号とＤＲＣチャネルが符号分割多重化され伝送されるので、パイロットにオフセットを割り当てる必要がない。従って、断続的モードが適用されると、移動局は自分がＤＲＣチャネルを伝送するスロットで２０４８チップの全部を利用してパイロットチャネルとの時間分割多重化なしＤＲＣチャネルを連続的に伝送する。同一の情報を有した４個のスロット中のどのスロットを断続するかは、基地局から伝送されるシグナリングメッセージ(Signaling message)を利用して決定される。
【００８４】
図２５は本発明の実施形態によるパイロット信号とＤＲＣチャネルを符号分割多重化して伝送するための逆方向リンク送信器の構造を示している。
前記図２５を参照すると、直交変調器２６０１は逆方向データ率指示者(Reverse rate indicator：以下、ＲＲＩ)をｎ−ａｒｙ直交変調してシンボルを出力する。シンボル反復器２６０２は前記直交変調器２６０１からの前記シンボルを所定回数反復して出力する。時間分割多重化器２６０３は、全部０(または全部１)のパイロットデータと、前記シンボル反復器２６０２の出力を所定規則により時間多重化して出力する。信号点写像器(Signal Point Mapping)２６０４は前記時間分割多重化器２６０３からのデータを＋１、または−１にマッピングして出力する。乗算器２６０５は前記信号点写像器２６０４からの信号と設定されたウォルシュ符号(Ｗ016)とかけて直交拡散して出力する。利得調整器２６０６は前記乗算器２６０５の出力を前記制御部の制御下に利得調整して出力する。
【００８５】
符号器２６０７は入力されるＤＲＣ情報を二進直交符号化(Biothgonal Encoding)して出力する。反復器２６０８は前記符号器２６０７からの出力符号語(codeword)を所定回数反復して出力する。信号点写像器(signal Point Mapping)２６０９は前記反復器２６０８からのデータを＋１、または−１にマッピングして出力する。ウォルシュカバー器２６１４はＤＲＣウォルシュカバーインデックスを受信してセクタ区分用ウォルシュカバーを出力する。乗算器２６１０は前記信号点写像器２６０９の出力と前記ウォルシュカバー器２６１４の出力をかけて出力する。乗算器２６１１は前記乗算器２６１０の出力と設定された直交符号Ｗ016をかけて直交拡散して出力する。スイッチ２６１２は前記乗算器２６１１の出力を前記制御部の制御下に断続して出力する。利得調整器２６１３は前記スイッチ２６１２の出力を利得調整して出力する。加算器２６１５は前記利得調整器２６０６及び前記利得調整器２６１３の出力を加算して出力する。
【００８６】
反復器２６１６は応答チャネル(ACK Channel)データを所定回数反復して出力する。信号点写像器２６１７は前記反復器２６１６からのデータを＋１、または−１にマッピングして出力する。乗算器２６１８は前記信号点写像器２６１７からの信号と設定された直交符号をかけて直交拡散して出力する。利得調整器２６１９は前記乗算器２６１８からの出力を利得調整して出力する。
【００８７】
符号器２６２０は入力されるトラヒックデータを符号化して出力する。インタリーバ２６２１は前記符号器２６２０の出力をインタリービングして出力する。反復器(Interleaved packet repetition)２６２２は前記インタリーバ２６２１からのインタリービングされたパケットデータを所定回数反復して出力する。信号点写像器２６２３は前記反復器２６２２からのデータを＋１、または−１にマッピングして出力する。乗算器２６２４は前記信号点写像器２６２３からの信号と設定された直交符号をかけて直交拡散して出力する。利得調整器２６２５は前記乗算器２６２４からの信号を前記制御部の制御下に利得調整して出力する。加算器２６２６は前記利得調整器２６１９及び前記利得調整器２６２５の出力を加算して出力する。変調器２６２７は前記加算器２６１５及び前記加算器２６２６の出力をＨＰＳＫ変調して出力する。ろ波器２６２８は前記変調器２６２７の出力を基底帯域フィルタリングして出力する。このようにろ波された信号は周波数上向調整され、ラジオ周波数信号に変換され基地局に送信される。
【００８８】
図２６は本発明の実施形態による順方向リンク送信器の構造を示している。前記送信器はトラヒックチャネル送信器、プリアンブル送信器、ＭＡＣチャネル送信器及びパイロットチャネル送信器に構成される。
【００８９】
先ず、前記トラヒックチャネル送信器を説明すると、符号器(Encoder)２７０１は順方向トラヒックチャネルデータを符号化して出力する。例えば、前記符号器(Encoder)２７０１は１／３、または１／５の符号率を有するコンバルション符号器、またはターボ符号器を使用することができる。スクランブリング符号生成器２７０２はトラヒックデータをスクランブリングする符号を生成して出力する。スクランブラ２７０３は前記符号器２７０１の出力と前記スクランブリング符号生成器２７０２の出力を排他的加算してスクランブリングして出力する。インタリーバ(channel interleaver)２７０４は前記スクランブラ２７０３の出力をインタリービングして出力する。変調器２７０５は前記インタリーバ２７０４の出力を変調して変調シンボルを出力する。前記変調器２７０５は伝送率によりＱＰＳＫ(Quadrature Phase Shift Keying)、８−ＰＳＫ(8-Phase Shift Keying)、または１６−ＱＡＭ(16-Quadrature Amplitude Modulation)変調器に動作する。シンボル反復器２７０６は前記変調器２７０５の出力を所定回数反復して出力する。シンボル逆多重化器(symbol DEMUX)２７０７は前記シンボル反復器２７０６の出力を使用可能なＮ個のウォルシュチャネルに逆多重化(demultiplexing)して出力する。ウォルシュカバー器(16-ary Walsh Covers)２７０８は前記シンボル逆多重化器２７０７からのＮ個の出力をそれぞれ直交拡散して出力する。利得調整器(Walsh Channel Gain)２７０９は前記ウォルシュカバー器２７０８の出力を利得調整して出力する。加算器(Walsh Chip Level Summer)２７１０は前記利得調整器２７０９の出力をチップレベルに加算して出力する。本発明で説明される各種信号情報(断続率情報、反復回数情報、スロットスタート点情報、パイロットオフセット情報、ＭＡＣアイディ)及び使用者データは、前記トラヒックチャネル送信器を通じて移動局に伝送される。即ち、本発明で定義されるシグナリングメッセージは前記トラヒックチャネル送信器を通じて伝送される。
【００９０】
次に、前記プリアンブル(preamble)送信器を説明すると、信号点写像器(signal Point Mapping)２７１１は全部０であるプリアンブルデータを＋１、または−１にマッピングして出力する。乗算器２７１２は前記信号点写像器２７１１の出力と使用者固有のＭＡＣ識別者(ID : Identification)(またはインデックス)に該当される特定な６４−ary二重直交(biorthogonal)ウォルシュ符号(またはシーケンス)をかけて直交拡散して出力する。
【００９１】
次に、前記ＭＡＣチャネル送信器を説明すると、信号点写像器２７１３は１ビットのＲＰＣ(Reverse Power Control)情報を＋１、または−１にマッピングして出力する。利得調整器(RPC Walsh Channel Gains)２７１４は前記信号点写像器２７１３の出力を利得調整して出力する。乗算器２７１５は前記利得調整器２７１４の出力と使用者固有のＭＡＣ識別者に対応される所定直交符号をかけて直交拡散して出力する。反復器(Bit Repetition)２７１６は１ビットのＲＡＢ情報を所定回数反復して出力する。信号点写像器２７１７は前記反復器２７１６の出力を＋１、または−１にマッピングして出力する。乗算器２７１８は前記信号点写像器２７１７の出力と設定された直交符号をかけて直交拡散して出力する。チップレベル加算器(Walsh Chip Level Summer)２７１９は前記乗算器２７１５及び前記乗算器２７１８の出力をチップレベルに加算して出力する。シーケンス反復器(Sequence Repetition)２７２０は前記加算器２７１９で出力されるシーケンスを所定回数反復して出力する。
【００９２】
次に、前記パイロットチャネル送信器を説明すると、信号点写像器２７２１は全部０であるパイロットチャネルデータを＋１、または−１にマッピングして出力する。乗算器２７２２は前記信号点写像器２７２１の出力と設定された直交符号をかけて直交拡散して出力する。
【００９３】
時間分割多重化器(Time division multiplexer)２７２９はトラヒックチャネル送信器の出力、前記プリアンブル送信器の出力、前記ＭＡＣチャネル送信器の出力及び前記パイロットチャネル送信器の出力を所定規則により時間分割多重化して出力する。複素拡散器(Quadrature Spreading)２７２３は前記時間分割多重化器２７２９の出力を与えられたＰＮ符号とかけて複素拡散して出力する。基底帯域ろ波器２７２４、２７２５はそれぞれ前記複素拡散器２７２３の出力を基底帯域フィルタリングして出力する。周波数変調器２７２６、２７２７はそれぞれ対応される基底帯域ろ波器の出力と該当搬送波をかけて周波数変調して出力する。加算器２７２８は前記周波数変調器２７２６、２７２７の出力を加算してアンテナを通じて移動局に送信する。
【００９４】
図２７は順方向チャネルを受信する移動局とデータ率を決定するための手順を示している。前記図２７を参照すると、基地局は２９０１段階で移動局が送信したＤＲＣチャネルを受信し、２９０３段階で前記受信されたＤＲＣチャネルを復調してＤＲＣ情報を検出する。そして、前記基地局は２９０４段階で前記受信したＤＲＣ情報を直ちに順方向チャネルに適用するかを判断する。もし、すぐに適用する場合、前記基地局は２９０７段階に進行して前記受信したＤＲＣ情報を利用して順方向チャネルを受信する移動局とデータ率を決定し、そうでない場合、２９０５段階に進行して前記検出されたＤＲＣ情報を貯蔵して以後に順方向チャネルに関連された決定をする時に利用する。このように、順方向チャネルを受信する移動局とデータ率が決定されると、前記基地局は２９０９段階に進行して決定された移動局に決定されたデータ率にデータを伝送する。
【００９５】
本発明の理解を助けるために、移動局の動作を送信と受信に区分して説明すると、次のようである。
先ず、移動局は順方向パイロットチャネルの強さを測定して順方向データ率を決定した後、前記決定されたデータ率を含むＤＲＣ情報を生成し、基地局に伝送する。この時、予め指定されたＤＲＣチャネルの反復回数(ＤＲＣ Length値)１、２、または４とＤＲＣチャネルの断続モード(enabled、またはdisabled)によりＤＲＣチャネルの断続送信(enable)である場合、スロットごとに新しいＤＲＣ情報を伝送するか(ＤＲＣ Length＝１)、２スロット周期にＤＲＣ情報を生成して２スロット中の一つのスロット間に伝送するか(ＤＲＣ Length＝２)、４スロット周期にＤＲＣ情報を生成して４スロット中の一つのスロットに伝送する(ＤＲＣ Length＝４)。即ち、ＤＲＣ Lengthが１である場合、移動局はスロットごとに新たにパイロット(pilot)チャネルの受信強さを測定し、順方向データ(data rate)を決定した後、該当するＤＲＣ情報を基地局に伝送し、ＤＲＣ Lengthが２である場合、移動局は２スロットごとに新たにパイロット(pilot)チャネルの強さを測定し、順方向データ率(data rate)を決定した後、該当するＤＲＣ情報を基地局に伝送し、ＤＲＣ Lengthが４である場合、移動局は４スロットごとに新たにパイロットチャネルの強さを測定し、順方向データ率を決定した後、該当するＤＲＣ情報を基地局に伝送する。
【００９６】
前記ＤＲＣ情報を基地局に送信した後、移動局は基地局が前記送信したＤＲＣ情報に該当するデータ率に順方向データを伝送するかを特定区間の間に検出する過程を反復すべきである。前記特定区間は基地局が順方向データを伝送する移動局を選択する時、どのくらいの区間の間、基地局が受信したＤＲＣ情報を利用するかにより変更できる。もし、基地局が順方向データ率と移動局を選択する時、ＤＲＣ情報を利用する区間が移動局にシグナリングメッセージ(signaling message)を利用して予め通報されると、移動局は自分が送信したＤＲＣ情報に該当する順方向データが受信されるかを次のＤＲＣ情報を送信するまで、スロットごとに判断する必要がない。即ち、移動局で送信したＤＲＣ情報が基地局でどのくらいの時間の間、有効に使用されるかを把握しているので、前記移動局は前記基地局からのシグナリング情報を利用して順方向データの受信動作を停止することができる。もし、基地局がＤＲＣ情報の利用区間を移動局に通報しないと、移動局はＤＲＣ情報を基地局に知らせた以後、次のＤＲＣ情報を生成するまで、順方向データチャネルをスロットごとに検査すべきである。
【００９７】
図２８はＤＲＣ情報を伝送した後、前記伝送したＤＲＣ情報に対応して有効な順方向トラヒックチャネルの受信区間を示している。一番目の場合、有効時間はＤＲＣ情報を伝送した後、一つのスロットである。従って、移動局はＤＲＣ情報を伝送した後、一つのスロット区間の間、順方向トラヒックデータが受信されるかを検出し、前記区間で順方向トラヒックの受信が検出されないと、受信動作を停止する。そして、次のＤＲＣ伝送区間でＤＲＣ情報を伝送した後、前記のような過程を反復する。
【００９８】
図２９は本発明の実施形態による移動局でＤＲＣ情報を伝送し、順方向トラヒックを検出するための手順を示している。前記図２９を参照すると、移動局は３００１段階で順方向パイロット(pilot)チャネルの受信強さを測定する。そして、前記移動局は３００３段階で前記測定されたパイロットチャネルの受信強さに基づいて順方向データ率を決定し、３００５段階で前記決定されたデータ率に該当するＤＲＣ情報を生成する。以後、移動局は３００７段階で前記生成されたＤＲＣ情報を逆方向ＤＲＣチャネルを通じて基地局に伝送する。前記ＤＲＣ情報を伝送した後、前記移動局は３００９段階で基地局からの順方向トラヒックデータが受信されたか検査する。前記移動局が基地局に要請したデータ率に順方向データが受信されたと判断されると、前記移動局は３０１５段階に進行して前記順方向データを受信する。もし、前記順方向データが検出されないと、移動局は３０１１段階に進行してＤＲＣ情報の有効期間が経過したかを検査する。もし、基地局でのＤＲＣ情報有効期間が終了しなかったら、前記移動局は前記３００９段階に戻して次のスロットでもう一度順方向データの受信を検査する。もし、基地局でのＤＲＣ情報有効期間が満了したら、前記移動局は３０１３段階に進行して前記ＤＲＣ情報を伝送した後の経過時間がＤＲＣチャネルの伝送周期(ＤＲＣ_Length)を超過するかを検査する。この過程で前記移動局は順方向チャネルの受信を反復するか、受信動作を中止することができる。もし、前記経過時間が前記伝送周期を超過する場合、移動局は前記３００１段階に戻して順方向パイロットチャネルの受信強さをさらに測定した後、以下段階を再遂行する。上述した過程では基地局でのＤＲＣ情報有効期間をシグナリングメッセージ(signaling message)を通じて移動局に通知した場合を仮定しており、前記有効期間情報が移動局に提供されないと、前記３０１１段階は省略されるべきである。
【００９９】
要約すると、本発明による“断続的なＤＲＣ伝送方式”と“反復的なＤＲＣ伝送方式”は、各使用者間のＤＲＣ干渉のため、逆方向リンクの容量が飽和される場合、移動局がＤＲＣチャネルを所定周期に断続して伝送するか、同一ＤＲＣチャネルを低い出力に反復伝送する方式である。このような方式は、逆方向リンクの容量超過時、それぞれの使用者が断続的にＤＲＣチャネルを伝送するか、または同一ＤＲＣチャネルをパイロットチャネルより低い出力に伝送することにより、使用者間の干渉を低減し、逆方向リンクの容量を増加させる。
【０１００】
上述した実施形態では、移動局が順方向チャネル(パイロットチャネル)環境を測定し、これを基準に移動局が受信することができる最大順方向データ伝送率(ＤＲＣ情報)を逆方向に伝送する場合に対して説明している。しかし、他の例に、移動局が逆方向に順方向パイロット信号の受信信号測定値、即ちパイロット信号のＣ／Ｉを伝送することもできる。前記移動局がパイロット信号のＣ／Ｉを伝送する場合にも、上述した本発明を同一に適用することができる。この場合にも、移動局は前記制御器から指示されたＣ／Ｉアップデート(update)周期(ＤＲＣ_Length)、またはその他の断続率を分析することができる情報により順方向パイロット信号の受信強さを測定した値(Ｃ／Ｉ)を逆方向に断続的に伝送する。
【０１０１】
【発明の効果】
上述したように、本発明による断続的ＤＲＣ伝送方式と反復的ＤＲＣ伝送方式は、高速データ伝送方式を使用するシステムで発生する逆方向リンクの容量低下の問題点を解消することができる。本発明は逆方向リンクの容量飽和時、移動局は断続的ＤＲＣ伝送方式、または反復的ＤＲＣ伝送方式に転換する。前記断続的ＤＲＣ伝送方式は、使用者間に発生した干渉を低減し、逆方向リンクの容量を増加させることができ、前記反復的ＤＲＣ伝送方式も二つ以上の連続されたスロットでＤＲＣチャネルをパイロットチャネルより低い伝送電力に伝送するので、逆方向でＤＲＣによる干渉を低減することにより、より多くの使用者を受容することができる。即ち、本発明による方式は逆方向リンクでの容量を増大させる効果がある。
【図面の簡単な説明】
【図１】  一般的な高速データ伝送方式を使用する移動通信システムで逆方向リンクの構造を示した図である。
【図２】  一般的な高速データ伝送方式を使用する移動通信システムでデータ率制御チャネル伝送方法を示した図である。
【図３】  一般的な高速データ伝送方式を適用する移動通信システムで移動局から受信されたデータ率制御チャネルにより、基地局がデータ伝送率を順方向リンクに適用する時点を示す図である。
【図４】  本発明の実施形態による高速データ伝送方式を適用する移動通信システムで、データ率制御チャネルを送信するための逆方向リンク送信器の構造を示した図である。
【図５】  本発明の実施形態による高速データ伝送方式を適用する移動通信システムで、データ率制御チャネルは断続的に伝送し、使用者のパイロットにオフセットを適用して基地局に送信する動作を示した図である。
【図６】  本発明の実施形態による高速データ伝送方式を適用する移動通信システムで、データ率制御チャネルは断続的に伝送し、使用者のパイロットにオフセットを適用しなくて基地局に送信する動作を示した図である。
【図７】  本発明の実施形態による高速データ伝送方式を適用する移動通信システムで、４個の使用者グループに区分されたデータ率制御チャネルとオフセットを適用したパイロット信号の伝送方式を示す図である。
【図８】  本発明の実施形態による高速データ伝送方式を適用する移動通信システムで、４個の使用者グループに区分されたデータ率制御チャネルとオフセットを適用しないパイロット信号の伝送方式を示す図である。
【図９】  本発明の実施形態による高速データ伝送方式を適用する移動通信システムの基地局受信器の一例を示す図である。
【図１０】  本発明の実施形態による高速データ伝送方式を適用する移動通信システムの基地局受信器の他の例を示す図である。
【図１１】  本発明の実施形態による高速データ伝送方式を適用する移動通信システムの基地局で受信した
【数７５】0003748552.tif 000083
値による断続的なデータ率制御チャネル伝送方法を示す流れ図である。
【図１２】  本発明の実施形態による高速データ伝送方式を適用する移動通信システムの移動局で、逆方向リンクの断続的ＤＲＣ伝送方式から連続的なＤＲＣ伝送方式に転換する方法を示す図である。
【図１３】  本発明の実施形態による高速データ伝送方式を適用する移動通信システムの基地局で、測定した
【数７６】0003748552.tif 000084
と、データ率制御チャネルシンボルエラー率及び伝送方式を決定する
【数７７】0003748552.tif 000085
との境界値を示す図である。
【図１４】  本発明の実施形態による高速データ伝送方式を適用する移動通信システムの移動局で、逆方向リンクの断続的なデータ率制御チャネル伝送方法を示す流れ図である。
【図１５】  本発明の実施形態による高速データ伝送方式を適用する移動通信システムで、同一のデータ率制御チャネル情報を４個の連続されたスロットにパイロットの２５％の伝送電力に伝送する伝送方式を示す図である。
【図１６】  本発明の実施形態による高速データ伝送方式を適用する移動通信システムで、同一のＤＲＣ情報を４個の連続されたスロットにパイロットより低く伝送する方式と、断続的ＤＲＣ情報伝送方式を同時に適用した場合を示す図である。
【図１７】  本発明の他の実施形態による高速データ伝送方式を適用する移動通信システムで、データ率制御チャネルを送信するための逆方向リンク送信器の構造を示す図である。
【図１８】  本発明の実施形態による基地局でのそれぞれの使用者から伝送された信号を測定して逆方向リンクの容量を超過する場合、既存の連続的なＤＲＣ伝送方式から同一のデータ率制御チャネルを二つ以上の連続されたスロットでパイロットチャネルより低く伝送する方式に転換する動作流れを示す図である。
【図１９】  本発明の実施形態による断続的ＤＲＣ伝送方式である場合、基地局で断続率情報を含むシグナリングメッセージを伝送するための手順を示す図である。
【図２０】  本発明の実施形態による断続的ＤＲＣ伝送方式である場合、移動局で断続率情報を含むシグナリングメッセージを受信してＤＲＣ情報伝送スタートスロットを決定するための手順を示す図である。
【図２１】  本発明の実施形態による同一のＤＲＣ情報が４回反復される場合(ＤＲＣ Length＝４)、断続率が１／４の断続的モードを適用した伝送方式でＤＲＣ情報の適用始点を示す図である。
【図２２】  本発明の実施形態による同一のＤＲＣ情報が２回反復される場合(ＤＲＣ Length＝２)、断続率が１/２の断続的モードを適用した伝送方式でＤＲＣ情報の適用時点を示す図である。
【図２３】  本発明の実施形態による同一の断続的区間(４スロット)に該当するすべての使用者グループのＤＲＣ情報を受信しない状態で、ＤＲＣ情報を順方向リンクに適用する場合を説明するための図である。
【図２４】  本発明の実施形態による高速データ伝送方式を適用する移動通信システムでパイロットとデータ率制御チャネルが符号分割多重化された場合に、４個の使用者グループに区分されたデータ率制御チャネルの伝送方式を示す図である。
【図２５】  本発明の実施形態による高速データ伝送方式を適用する移動通信システムでパイロットとデータ率制御チャネルが符号分割多重化された場合に、データ率制御チャネルを送信するための逆方向リンク送信器の構造を示した図である。
【図２６】  本発明の実施形態による高速データ伝送方式を適用する移動通信システムで順方向リンク送信器の構造を示した図である。
【図２７】  前記図２６で説明した順方向チャネルを受信する移動局とデータ率を決定するための手順を示す図である。
【図２８】  本発明の実施形態によるＤＲＣ情報を伝送した後、前記伝送したＤＲＣ情報に対応して有効な順方向トラヒックチャネルの受信区間を示す図である。
【図２９】  本発明の実施形態による移動局でＤＲＣ情報を伝送し、順方向トラヒックを検出するための手順を示す図である。
【符号の説明】
１０１  パイロットチャネルデータ
１０２、１０９、１２１、１２３、１２５、１３９、１０１１，１０１３、１０３１  乗算器
１０５  直交変調部
１０７  ウォルシュシンボル反復器
１１１  ＤＲＣウォルシュカバーインデックス
１１３  ウォルシュカバー器
１１７  ブロックエンコーダ
１１９  符号語反復器
１２７  多重化器
１２９  トラヒックチャネル信号
１３１  エンコーダ
１３３  変調器
１３５  インタリーバ
１３７  データチャネル利得器
１４１  複素拡散器
１４３  基底帯域ろ波器
４０１、４０５  スイッチ
４０３  遅延器
１００１  Ｉ二乗器
１００３  Ｑ二乗器
１００５、１００７、１０２９  加算器
１０１５  ＤＲＣ抽出器
１０１７、１０１９  デコーダ
１０２１  ＤＲＣ測定部
１０２３  減算器
１０２５  ＤＲＣ信号対雑音比測定部
１０３５  制御部
２６０１  直交変調器
２６０２  シンボル反復器
２６０３  時間分割多重化器
２６０４、２６０９、２６１７、２６２３  信号点写像器(Signal Point Mapping)
２６０５、２６１８、２６２４  乗算器
２６０６、２６１３、２６１９、２６２５  利得調整器
２６０７  符号器
２６０８  反復器
２６１２  スイッチ
２６１４  ウォルシュカバー器
２６１５、２６２６  加算器
２６１６  反復器
２６２０  符号器
２６２１  インタリーバ
２６２２  反復器(Interleaved packet repetition)
２６２７  変調器
２６２８  ろ波器
２７０１  符号器(Encoder)
２７０２  スクランブリング符号生成器
２７０３  スクランブラ
２７０４  インタリーバ(channel interleaver)
２７０５  変調器
２７０６  シンボル反復器
２７０７  シンボル逆多重化器(symbol DEMUX)
２７０８  ウォルシュカバー器(16-ary Walsh Covers)
２７０９、２７１４  利得調整器(Walsh Channel Gain)
２７１０  加算器(Walsh Chip Level Summer)
２７１１、２７１３、２７１７、２７２１  信号点写像器(signal Point Mapping)
２７１２、２７１５、２７１８、２７２２  乗算器
２７１６  反復器(Bit Repetition)
２７１９  チップレベル加算器(Walsh Chip Level Summer)
２７２０  シーケンス反復器(Sequence Repetition)
２７２９  時間分割多重化器(Time division multiplexer)
２７２３  複素拡散器(Quadrature Spreading)
２７２４、２７２５  基底帯域ろ波器
２７２６、２７２７  周波数変調器
２７２８  加算器
【図１】
0003748552.tif 000086
【図２】
0003748552.tif 000087
【図３】
0003748552.tif 000088
【図４】
0003748552.tif 000089
【図５】
0003748552.tif 000090
【図６】
0003748552.tif 000091
【図７】
0003748552.tif 000092
【図８】
0003748552.tif 000093
【図９】
0003748552.tif 000094
【図１０】
0003748552.tif 000095
【図１１】
0003748552.tif 000096
【図１２】
0003748552.tif 000097
【図１３】
0003748552.tif 000098
【図１４】
0003748552.tif 000099
【図１５】
0003748552.tif 000100
【図１６】
0003748552.tif 000101
【図１７】
0003748552.tif 000102
【図１８】
0003748552.tif 000103
【図１９】
0003748552.tif 000104
【図２０】
0003748552.tif 000105
【図２１】
0003748552.tif 000106
【図２２】
0003748552.tif 000107
【図２３】
0003748552.tif 000108
【図２４】
0003748552.tif 000109
【図２５】
0003748552.tif 000110
【図２６】
0003748552.tif 000111
【図２７】
0003748552.tif 000112
【図２８】
0003748552.tif 000113
【図２９】
0003748552.tif 000114